(57)【要約】      （修正有）【課題】インサート成形時の樹脂の流動性の向上を図ることができるコネクタを提供する。【解決手段】コネクタＣは、第１、第２凹部１１１、１１２及び両者間の第１分断部１２１を有するボディ１００と、端子Ｇ３ｂ、Ｓ３ａ、Ｓ３ｂ、端子Ｇ４及び端子Ｓ４ａとを備えている。端子Ｇ３ｂの第１露出部、端子Ｓ３ａ、Ｓ３ｂの第１露出部及び端子Ｇ４の第１露出部が第１凹部１１１からボディ１００外に露出している。端子Ｇ４の第１非露出部がボディ１００に覆われている。第１露出部は、端子Ｇ４の一部のＸ’方向側の領域を有する。端子Ｇ４の第１非露出部は、端子Ｇ４の一部のＸ方向側の領域を有する。端子Ｓ４ａの第１露出部が第２凹部１１１からボディ１００外に露出している。【選択図】図１Ａ
2015210840.tif 000002
【特許請求の範囲】
【請求項１】
絶縁樹脂であるボディと、
前記ボディ内に少なくとも部分的に保持されており且つ第１方向に間隔をあけて配置された一対の第１端子、第２端子、第３端子及び第４端子とを備えており、
前記ボディは、前記第１方向の成分を含む方向に延びた第１凹部と、
前記第１方向の成分を含む方向に延びた第２凹部と、
前記第１凹部と前記第２凹部との間に設けられた第１分断部とを有しており、
前記第１端子は、前記第１方向に交差する第２方向の成分を含む方向に延びており且つ互いに隣り合う差動信号端子であり、前記第１端子は第１露出部を有しており、
前記第１端子の前記第１露出部は、当該第１端子の前記第２方向の一部の前記第１方向の全領域を有し且つ前記第１凹部から当該ボディ外に露出しており、
前記第２端子は、前記第２方向の成分を含む方向に延びたグランド端子、又は前記第２方向の成分を含む方向に延びた前記第１端子よりも低速の信号を伝送可能な低速信号端子であって、前記第１端子のうちの前記第１方向の一方側の第１端子の隣に配置されており、前記第２端子は第１非露出部及び第１露出部を有しており、
前記第２端子の前記第１非露出部は、当該第２端子の前記第２方向の一部のうちの前記第１方向の一方側の領域を有し且つ前記ボディに覆われており、
前記第２端子の前記第１露出部は、当該第２端子の前記一部の前記第１方向の他方側の領域を有し且つ前記第１凹部から当該ボディ外に露出しており、
前記第３端子は、前記第２方向の成分を含む方向に延びたグランド端子、又は前記第２方向の成分を含む方向に延びた前記第１端子よりも低速の信号を伝送可能な低速信号端子であって、前記第１端子のうちの前記第１方向の他方側の第１端子の隣に配置されており、前記第３端子は第１露出部を有しており、
前記第３端子の前記第１露出部は、当該第３端子の前記第２方向の一部のうちの少なくとも前記第１方向の一方側の領域を有し且つ前記第１凹部から当該ボディ外に露出しており、
前記第４端子は前記第２方向の成分を含む方向に延びており且つ前記第２端子の前記第１方向の一方側に配置されており、前記第４端子は第１露出部を有しており、
前記第４端子の前記第１露出部は、当該第４端子の前記第２方向の一部の前記第１方向の全領域又は一部分の領域を有し且つ前記第２凹部から当該ボディ外に露出しているコネクタ。
【請求項２】
請求項１記載のコネクタにおいて、
前記第２凹部は、前記ボディの前記第１凹部よりも前記第２方向の一方側の部分に設けられているコネクタ。
【請求項３】
請求項２記載のコネクタにおいて、
前記第２端子は、第２露出部を更に有しており、
前記第２露出部は、少なくとも当該第２端子の前記一部よりも前記第２方向の一方側の部分のうちの前記第１方向の一方側の領域を有し、且つ前記第２凹部から前記ボディ外に露出しているコネクタ。
【請求項４】
請求項１〜３の何れかに記載のコネクタにおいて、
前記第１凹部は、一対であり、当該一対の第１凹部のうちの一方が、前記ボディの前記第１端子、前記第２端子及び前記第３端子よりも前記第１方向及び前記第２方向に交差する第３方向の一方側の部分に設けられており、他方が前記ボディの前記第１端子、前記第２端子及び前記第３端子よりも前記第３方向の他方側の部分に設けられているコネクタ。
【請求項５】
請求項１〜４の何れかに記載のコネクタにおいて、
前記第２凹部は、一対であり、当該一対の第２凹部のうちの一方が、前記ボディの前記第４端子よりも前記第１方向及び前記第２方向に交差する第３方向の一方側の部分に設けられており、他方が前記ボディの前記第４端子よりも前記第３方向の他方側の部分に設けられており、
前記第１分断部は、一対であり、当該一対の第１分断部のうちの一方が、前記一方の第１凹部と前記一方の第２凹部との間に設けられており、他方が前記他方の第１凹部と前記他方の第２凹部との間に設けられているコネクタ。
【請求項６】
請求項１〜５の何れかに記載のコネクタにおいて、
前記ボディは、前記第１方向の成分を含む方向に延びた第３凹部と、
前記第１凹部と前記第３凹部との間に設けられた第２分断部とを更に有しており、
前記第４端子は複数であり、当該第４端子の一部の第４端子は、前記第２端子の前記第１方向の一方側に配置されており、
前記一部の第４端子の前記第１露出部は、前記第２凹部から当該ボディ外に露出しており、
前記第４端子の残りの第４端子の前記第１露出部は、前記第３凹部から当該ボディ外に露出しているコネクタ。
【請求項７】
請求項６記載のコネクタにおいて、
前記第３凹部は、前記ボディの前記第１凹部よりも前記第２方向の一方側又は他方側の部分に設けられているコネクタ。
【請求項８】
請求項６〜７の何れかに記載のコネクタにおいて、
前記第３凹部は、一対であり、当該一対の第３凹部のうちの一方が、前記ボディの前記残りの第４端子よりも前記第１方向及び前記第２方向に交差する第３方向の一方側の部分に設けられており、他方が前記ボディの前記残りの第４端子よりも前記第３方向の他方側の部分に設けられており、
前記第２分断部は、一対であり、当該一対の第２分断部のうちの一方が、前記一方の第１凹部と前記一方の第３凹部との間に設けられており、他方が前記他方の第１凹部と前記他方の第３凹部との間に設けられているコネクタ。
【請求項９】
請求項１〜８の何れかに記載のコネクタにおいて、
一対の第５端子、第６端子及び第７端子を更に備えており、
前記第３端子の前記第１露出部は、当該第３端子の前記一部の前記第１方向の全領域を有しており、
前記第５端子は、前記第２方向の成分を含む方向に延びており且つ互いに隣り合う差動信号端子であり、前記第５端子は第１露出部を有しており、
前記第５端子の前記第１露出部は、当該第１端子の前記第２方向の一部の前記第１方向の全領域を有し且つ前記第１凹部から当該ボディ外に露出しており、
前記第６端子は、前記第２方向の成分を含む方向に延びたグランド端子、又は前記第２方向の成分を含む方向に延びた前記第１端子及び前記第５端子よりも低速の信号を伝送可能な低速信号端子であって、前記第５端子のうちの前記第１方向の一方側の第５端子と前記第３端子との間に配置されており、前記第６端子は第１露出部を有しており、
前記第６端子の前記第１露出部は、当該第６端子の前記第２方向の一部の前記第１方向の一方側の全領域を有し且つ前記第１凹部から当該ボディ外に露出しており、
前記第７端子は、前記第２方向の成分を含む方向に延びたグランド端子、又は前記第２方向の成分を含む方向に延びた前記第１端子よりも低速の信号を伝送可能な低速信号端子であって、前記第５端子のうちの前記第１方向の他方側の第５端子の隣に配置されており、前記第７端子は第１露出部及び第１非露出部を有しており、
前記第７端子の前記第１露出部は、当該第７端子の前記第２方向の一部のうちの前記第１方向の一方側の領域を有し且つ前記第１凹部から当該ボディ外に露出しており、
前記第７端子の前記第１非露出部は、当該第７端子の前記一部の前記第１方向の他方側の領域を有し且つ前記ボディに覆われているコネクタ。
【請求項１０】
請求項１〜８の何れかに記載のコネクタにおいて、
一対の第５端子及び第７端子を更に備えており、
前記第３端子は、前記他方側の第１端子と前記第５端子のうちの前記第１方向の一方側の第５端子との間に配置されており、前記第３端子の前記第１露出部は、当該第３端子の前記一部の前記第１方向の全領域を有しており、
前記第５端子は、前記第２方向の成分を含む方向に延びており且つ互いに隣り合う差動信号端子であり、前記第５端子は第１露出部を有しており、
前記第５端子の前記第１露出部は、当該第１端子の前記第２方向の一部の前記第１方向の全領域を有し且つ前記第１凹部から当該ボディ外に露出しており、
前記第７端子は、前記第２方向の成分を含む方向に延びたグランド端子、又は前記第２方向の成分を含む方向に延びた前記第１端子よりも低速の信号を伝送可能な低速信号端子であって、前記第５端子のうちの前記第１方向の他方側の第５端子の隣に配置されており、前記第７端子は第１露出部及び第１非露出部を有しており、
前記第７端子の前記第１露出部は、当該第７端子の前記第２方向の一部のうちの前記第１方向の一方側の領域を有し且つ前記第１凹部から当該ボディ外に露出しており、
前記第７端子の前記第１非露出部は、当該第７端子の前記一部の前記第１方向の他方側の領域を有し且つ前記ボディに覆われているコネクタ。
【請求項１１】
第１、第２金型の何れか一方に複数の端子を第１方向に間隔をあけて配置し、
前記第１、第２金型を型締めして当該第１、第２金型のキャビティ内に前記端子を少なくとも部分的に収容させ、
前記キャビティ内に樹脂を射出して当該樹脂内に前記端子を少なくとも部分的にインサートし、
前記キャビティ内の前記樹脂を硬化させ、
前記第１、第２金型から前記樹脂及び前記端子を取り出すようになっており、
前記端子の配置は、前記端子のうちの一対の第１端子を隣り合うように配置し、当該端子のうちの第２端子を前記第１端子のうちの前記第１方向の一方側の第１端子の隣に配置し、当該端子のうちの第３端子を前記第１端子のうちの前記第１方向の他方側の第１端子の隣に配置し、且つ当該端子のうちの第４端子を前記第２端子の前記第１方向の一方側に配置することを含み、
前記第１、第２金型の型締めは、当該第１金型の第１突部を、前記第２端子の前記第１方向に交差する第２方向の一部の前記第１方向の他方側の領域、前記第１端子の前記第２方向の一部の前記第１方向の全領域、及び前記第３端子の前記第２方向の一部の前記第１方向の一方側の領域に当接させ、且つ当該第１金型の第２突部を、前記第４端子の前記第２方向の一部の全領域又は一部分の領域に当接させることを含み、
前記樹脂の射出は、前記第１突部と前記第２突部との間の間隙内に前記樹脂を流入させることを含むコネクタの製造方法。
【請求項１２】
請求項１１記載のコネクタの製造方法において、
前記第２突部は、前記第１突部よりも前記第２方向の一方側に位置しているコネクタの製造方法。
【請求項１３】
請求項１２記載のコネクタの製造方法において、
前記第１、第２金型の型締めは、前記第２突部を、少なくとも前記第２端子の前記一部よりも前記第２方向の一方側の部分のうちの前記第１方向の一方側の領域に当接させることを更に含むコネクタの製造方法。
【請求項１４】
請求項１１〜１３の何れかに記載のコネクタの製造方法において、
前記第１、第２金型の型締めは、当該第２金型の第１突部を、前記第２端子の前記一部の前記第１方向の他方側の領域、前記第１端子の前記一部の前記第１方向の全領域、及び前記第３端子の前記一部の前記第１方向の一方側の領域に、前記第１金型の前記第１突部の反対側から当接させることを更に含むコネクタの製造方法。
【請求項１５】
請求項１１〜１４の何れかに記載のコネクタの製造方法において、
前記第１、第２金型の型締めは、当該第２金型の第２突部を、前記第４端子の前記一部の全領域又は一部分の領域に、前記第１金型の前記第２突部の反対側から当接させることを更に含み、
前記樹脂の射出は、前記第２金型の前記第１突部と前記第２突部との間の間隙内に前記樹脂を流入させることを更に含むコネクタの製造方法。
【請求項１６】
請求項１１〜１５の何れかに記載のコネクタの製造方法において、
前記端子の配置は、前記第１、第２金型の何れか一方に、複数の前記第４端子のうちの一部の第４端子を前記第２端子の前記第１方向の一方側に配置し、且つ前記第４端子のうちの残りの第４端子を配置することを含み、
前記第１金型の第２突部の当接は、当該第１金型の第２突部を、前記一部の第４端子の前記第２方向の一部の全領域又は一部分の領域に当接させることであり、
前記第１、第２金型の型締めは、当該第１金型の第３突部を、前記残りの第４端子の前記第２方向の一部の全領域又は一部分の領域に当接させることを更に含み、
前記樹脂の射出は、前記第１突部と前記第３突部との間の間隙内に前記樹脂を流入させることを更に含むコネクタの製造方法。
【請求項１７】
請求項１６記載のコネクタの製造方法において、
前記第３突部は、前記第１突部よりも前記第２方向の一方側に位置しているコネクタの製造方法。
【請求項１８】
請求項１６〜１７の何れかに記載のコネクタの製造方法において、
前記第１、第２金型の型締めは、当該第２金型の第３突部を、前記残りの第４端子の前記一部の全領域又は一部分の領域に、前記第１金型の前記第３突部の反対側から当接させることを更に含み、
前記樹脂の射出は、前記第２金型の前記第１突部と前記第３突部との間の間隙内に前記樹脂を流入させることを更に含むコネクタの製造方法。
【請求項１９】
請求項１１〜１８の何れかに記載のコネクタの製造方法において、
前記端子の配置は、前記端子のうちの一対の第５端子を隣り合うように配置し、当該端子のうちの第６端子を前記第５端子のうちの前記第１方向の一方側の第５端子と前記第３端子との間に配置し、且つ当該端子のうちの第７端子を前記第５端子の前記第１方向の他方側の第５端子の隣に配置することを更に含み、
前記第１金型の第１突部の当接は、前記第１金型の第１突部を、前記第２端子の前記第２方向の一部の前記第１方向の他方側の領域、前記第１端子の前記第２方向の一部の前記第１方向の全領域、前記第３端子の前記一部の前記第１方向の全領域、前記第６端子の前記第２方向の一部の前記第１方向の全領域、前記第５端子の前記一部の前記第１方向の全領域及び前記第７端子の前記第２方向の一部の前記第１方向の一方側の領域に当接させることを含むコネクタの製造方法。
【請求項２０】
請求項１１〜１８の何れかに記載のコネクタの製造方法において、
前記端子の配置は、前記端子のうちの一対の第５端子を隣り合うように配置し、前記第３端子を前記第５端子のうちの前記第１方向の一方側の第５端子と前記他方側の第１端子との間に配置し、且つ当該端子のうちの第７端子を前記第５端子の前記第１方向の他方側の第５端子の隣に配置することを更に含み、
前記第１金型の第１突部の当接は、前記第１金型の第１突部を、前記第２端子の前記第２方向の一部の前記第１方向の他方側の領域、前記第１端子の前記第２方向の一部の前記第１方向の全領域、前記第３端子の前記一部の前記第１方向の全領域、前記第５端子の前記一部の前記第１方向の全領域及び前記第７端子の前記第２方向の一部の前記第１方向の一方側の領域に当接させることを含むコネクタの製造方法。
【請求項２１】
請求項１４記載のコネクタの製造方法において、
前記端子の配置は、前記端子のうちの一対の第５端子を隣り合うように配置し、当該端子のうちの第６端子を前記第５端子のうちの前記第１方向の一方側の第５端子と前記第３端子との間に配置し、且つ当該端子のうちの第７端子を前記第５端子の前記第１方向の他方側の第５端子の隣に配置することを更に含み、
前記第１金型の第１突部の当接は、当該第１金型の第１突部を、前記第２端子の前記第２方向の一部の前記第１方向の他方側の領域、前記第１端子の前記第２方向の一部の前記第１方向の全領域、前記第３端子の前記一部の前記第１方向の全領域、前記第６端子の前記第２方向の一部の前記第１方向の全領域、前記第５端子の前記一部の前記第１方向の全領域及び前記第７端子の前記第２方向の一部の前記第１方向の一方側の領域に当接させることを含み、
前記第２金型の第１突部の当接は、当該第２金型の第１突部を、前記第２端子の前記第２方向の一部の前記第１方向の他方側の領域、前記第１端子の前記第２方向の一部の前記第１方向の全領域、前記第３端子の前記一部の前記第１方向の全領域、前記第６端子の前記第２方向の一部の前記第１方向の全領域、前記第５端子の前記一部の前記第１方向の全領域及び前記第７端子の前記第２方向の一部の前記第１方向の一方側の領域に、前記第１金型の前記第１突部の反対側から当接させることを含むコネクタの製造方法。
【請求項２２】
請求項１４記載のコネクタの製造方法において、
前記端子の配置は、前記端子のうちの一対の第５端子を隣り合うように配置し、前記第３端子を前記第５端子のうちの前記第１方向の一方側の第５端子と前記他方側の第１端子との間に配置し、且つ当該端子のうちの第７端子を前記第５端子の前記第１方向の他方側の第５端子の隣に配置することを更に含み、
前記第１金型の第１突部の当接は、当該第１金型の第１突部を、前記第２端子の前記第２方向の一部の前記第１方向の他方側の領域、前記第１端子の前記第２方向の一部の前記第１方向の全領域、前記第３端子の前記一部の前記第１方向の全領域、前記第５端子の前記一部の前記第１方向の全領域及び前記第７端子の前記第２方向の一部の前記第１方向の一方側の領域に当接させることを含み、
前記第２金型の第１突部の当接は、当該第２金型の第１突部を、前記第２端子の前記第２方向の一部の前記第１方向の他方側の領域、前記第１端子の前記第２方向の一部の前記第１方向の全領域、前記第３端子の前記一部の前記第１方向の全領域、前記第５端子の前記一部の前記第１方向の全領域及び前記第７端子の前記第２方向の一部の前記第１方向の一方側の領域に、前記第１金型の前記第１突部の反対側から当接させることを含むコネクタの製造方法。
【発明の詳細な説明】
【技術分野】
【０００１】
本発明は、コネクタ及びコネクタの製造方法に関する。
【背景技術】
【０００２】
下記特許文献１には従来のコネクタが記載されている。このコネクタは、絶縁樹脂製のボディと、このボディにインサート成形された複数の端子とを備えている。ボディには、端子のうちの差動信号端子を構成する一対の端子のうちの一方を部分的に露出させる凹部が設けられている。この凹部により、一方の端子の周りのボディの樹脂量を調整し且つ当該一方の端子の周りの物質の誘電率を低下させ、一対の端子により伝送される信号の伝送速度の高速化を図っている。
【先行技術文献】
【特許文献】
【０００３】
【特許文献１】特開２０１２−２５２９０４号公報
【発明の概要】
【発明が解決しようとする課題】
【０００４】
凹部は、端子をボディにインサート成形するときに用いられる金型の突部によって形成される。金型の突部は、一方の端子を部分的に押さえる。これにより、金型内に射出される樹脂の流動によって、一方の端子が所定位置から位置変位することが抑制される。
【０００５】
ところで、インサート成形時に、樹脂の流動によって多数の端子の位置変位を抑制することが要求されることがある。この要求に対応するために、金型の突部が端子の並び方向に延びた長尺状とし、この突部が多数の端子を部分的に押さえることが考えられる。しかし、長尺状の突部一つで多数の端子を押さえると、金型内に射出される樹脂の流動性が悪くなる。
【０００６】
本発明は、上記事情に鑑みて創案されたものであって、その目的とするところは、インサート成形時の樹脂の流動性の向上を図ることができるコネクタ及びコネクタの製造方法を提供することにある。
【課題を解決するための手段】
【０００７】
上記課題を解決するために、本発明のコネクタは、絶縁樹脂であるボディと、一対の第１端子、第２端子、第３端子及び第４端子とを備えている。前記ボディは、前記第１方向の成分を含む方向に延びた第１凹部と、前記第１方向の成分を含む方向に延びた第２凹部と、前記第１凹部と前記第２凹部との間に設けられた第１分断部とを有している。前記第１端子、前記第２端子、前記第３端子及び前記第４端子は、前記ボディ内に少なくとも部分的に保持されており且つ第１方向に間隔をあけて配置されている。前記第１端子は、前記第１方向に交差する第２方向の成分を含む方向に延びており且つ互いに隣り合う差動信号端子である。前記第１端子は第１露出部を有している。前記第１端子の前記第１露出部は、当該第１端子の前記第２方向の一部の前記第１方向の全領域を有し且つ前記第１凹部から当該ボディ外に露出している。前記第２端子は、前記第２方向の成分を含む方向に延びたグランド端子、又は前記第２方向の成分を含む方向に延びた前記第１端子よりも低速の信号を伝送可能な低速信号端子であって、前記第１端子のうちの前記第１方向の一方側の第１端子の隣に配置されている。前記第２端子は第１非露出部及び第１露出部を有している。前記第２端子の前記第１非露出部は、当該第２端子の前記第２方向の一部のうちの前記第１方向の一方側の領域を有し且つ前記ボディに覆われている。前記第２端子の前記第１露出部は、当該第２端子の前記一部の前記第１方向の他方側の領域を有し且つ前記第１凹部から当該ボディ外に露出している。前記第３端子は、前記第２方向の成分を含む方向に延びたグランド端子、又は前記第２方向の成分を含む方向に延びた前記第１端子よりも低速の信号を伝送可能な低速信号端子であって、前記第１端子のうちの前記第１方向の他方側の第１端子の隣に配置されており、前記第３端子は第１露出部を有している。前記第３端子の前記第１露出部は、当該第３端子の前記第２方向の一部のうちの少なくとも前記第１方向の一方側の領域を有し且つ前記第１凹部から当該ボディ外に露出している。前記第４端子は前記第２方向の成分を含む方向に延びており且つ前記第２端子の前記第１方向の一方側に配置されている。前記第４端子は第１露出部を有している。前記第４端子の前記第１露出部は、当該第４端子の前記第２方向の一部の前記第１方向の全領域又は一部分の領域を有し且つ前記第２凹部から当該ボディ外に露出している。
【０００８】
このような態様のコネクタは、以下の技術的特徴を有する。第１に、第１端子、第２端子、第３端子及び第４端子をボディにインサート成形するときに、金型のキャビティ内に射出される樹脂の流動性の向上を図ることができる。その理由は以下の通りである。ボディの第１分断部が、ボディの第１、第２凹部を分断している。インサート成形時に、ボディの第１凹部を成形するための金型の第１突部が第１端子、第２端子、及び第３端子の第１露出部に当接し、ボディの第２凹部を成形するための金型の第２突部が第４端子の第１露出部に当接する。一方、金型の第１、第２突部の間には、ボディの第１分断部に対応する間隙が生じている。この間隙が樹脂の流路となるので、金型に射出される樹脂の流動性の向上を図ることができる。しかも、第２端子の一部の一方側の領域を有する第１非露出部がボディに覆われ、第２端子の一部の他方側の領域を有する第１露出部が第１凹部から当該ボディ外に露出している。このため、第２端子の一部の全領域が第１凹部から露出する場合に比べて、第１凹部の第１方向の寸法を低減することができる。この第１凹部の前記寸法の低減は、第２凹部側で生じている。なぜなら、第１凹部から第２端子の第１露出部が露出し、第２凹部から第２端子の第１方向の一方側に位置する第４端子の露出部が露出する位置関係であるためである。よって、第１、第２凹部の間の第１分断部が大きくなり、当該第１分断部に対応する間隙（樹脂の流路）も大きくなるので、当該間隙内を樹脂が流通し易くなる。第２に、一方側の第１端子から発生する電磁波と、他方側の第１端子から発生する電磁波との均一化を図ることができる。これは次の構成により実現される。一方側の第１端子の隣に配置された第２端子の第１露出部が、一方側の第１端子の第１露出部の隣で露出しているため、一方側の第１端子の第１露出部から発生する電磁波が第２端子の第１露出部に吸収される。他方側の第１端子の隣に配置された第３端子の第１露出部が、他方側の第１端子の第１露出部の隣で露出しているため、他方側の第１端子の第１露出部から発生する電磁波が第３端子の第１露出部に吸収される。
【０００９】
前記第２凹部は、前記ボディの前記第１凹部よりも前記第２方向の一方側の部分に設けられた構成とすることが可能である。このような態様のコネクタによる場合、金型のキャビティ内に射出される樹脂の流動性の向上を更に図ることができる。第２凹部が第１凹部よりも第２方向の一方側に位置しているので、金型の第２突部も、第１突部よりも第２方向の一方側に位置する。よって、第１、第２突部間の間隙内を樹脂が流通し易くなる。
【００１０】
前記第２端子は、第２露出部を更に有する構成とすることが可能である。前記第２露出部は、少なくとも当該第２端子の前記一部よりも前記第２方向の一方側の部分のうちの前記第１方向の一方側の領域を有する構成とすることが可能である。前記第２露出部は、
前記第２凹部から前記ボディ外に露出した構成とすることが可能である。
【００１１】
このような態様のコネクタによる場合、金型のキャビティ内に射出される樹脂によって第２端子が位置ずれする可能性を低減することができると共に、当該樹脂の流動性を向上させることができる。具体的には以下の通りである。インサート成形時に、ボディの第１凹部を成形するための金型の第１突部が、第１端子、第２端子、及び第３端子の第１露出部に当接し、ボディの第２凹部を成形するための金型の第２突部が第２端子の第２露出部及び第４端子の第１露出部に当接する。このように金型の第１、第２突部が第２端子の第２方向の異なる部分（第１、第２露出部）に当接するので、樹脂によって第２端子が位置ずれする可能性を低減することができる。しかも、第２端子の第２露出部に当接する第２突部が、第２端子の第１露出部に当接する第１突部よりも第２方向の一方側に位置しているので、第１、第２突部間の間隙内を樹脂が流通し易くなる。
【００１２】
前記第１凹部は、一対とすることが可能である。当該一対の第１凹部のうちの一方が、前記ボディの前記第１端子、前記第２端子及び前記第３端子よりも前記第１方向及び前記第２方向に交差する第３方向の一方側の部分に設けられた構成とすることが可能である。他方が前記ボディの前記第１端子、前記第２端子及び前記第３端子よりも前記第３方向の他方側の部分に設けられた構成とすることが可能である。
【００１３】
このような態様のコネクタによる場合、金型のキャビティ内に射出される樹脂によって第１端子が位置ずれする可能性を低減することができる。一方の第１凹部を形成するための金型の第１突部が第１端子、第２端子及び第３端子にＺ方向側から当接し、他方の第１凹部を形成するための金型の第１突部が第１端子、第２端子及び第３端子にＺ’方向側から当接するので、樹脂によって第１端子が位置ずれする可能性を低減することができる。
【００１４】
前記第２凹部は、一対とすることが可能である。当該一対の第２凹部のうちの一方が、前記ボディの前記第４端子よりも前記第１方向及び前記第２方向に交差する第３方向の一方側の部分に設けられた構成とすることが可能である。他方が前記ボディの前記第４端子よりも前記第３方向の他方側の部分に設けられた構成とすることが可能である。前記第１分断部は、一対とすることが可能である。当該一対の第１分断部のうちの一方が、前記一方の第１凹部と前記一方の第２凹部との間に設けられた構成とすることが可能である。他方が前記他方の第１凹部と前記他方の第２凹部との間に設けられた構成とすることが可能である。
【００１５】
このような態様のコネクタによる場合、金型のキャビティ内に射出される樹脂によって第４端子が位置ずれする可能性を低減することができる。一方の第２凹部を形成するための金型の第２突部が第４端子にＺ方向側から当接し、他方の第２凹部を形成するための金型の第２突部が第４端子にＺ’方向側から当接するので、樹脂によって第４端子が位置ずれする可能性を低減することができる。
【００１６】
前記ボディは、前記第１方向の成分を含む方向に延びた第３凹部と、前記第１凹部と前記第３凹部との間に設けられた第２分断部とを更に有した構成とすることが可能である。前記第４端子は、複数とすることが可能である。当該第４端子の一部の第４端子は、前記第２端子の前記第１方向の一方側に配置された構成とすることが可能である。前記一部の第４端子の前記第１露出部は、前記第２凹部から当該ボディ外に露出した構成とすることが可能である。前記第４端子の残りの第４端子の前記第１露出部は、前記第３凹部から当該ボディ外に露出した構成とすることが可能である。
【００１７】
このような態様のコネクタによる場合、金型のキャビティ内に射出される樹脂によって複数の第４端子が位置ずれする可能性を低減することができると共に、当該樹脂の流動性を向上させることができる。具体的には以下の通りである。インサート成形時に、ボディの第２凹部を成形するための金型の第２突部が一部の第４端子に当接し、ボディの第３凹部を成形するための金型の第３突部が残りの第４端子に当接するので、樹脂によって第４端子が位置ずれする可能性を低減することができる。しかも、金型の第１突部と第２突部との間には、第１分断部に対応する間隙が生じており、金型の第１突部と第３突部との間には、第２分断部に対応する間隙が生じている。これらの間隙内を樹脂が流通するので、樹脂の流動性を向上させることができる。
【００１８】
前記第３凹部は、前記ボディの前記第１凹部よりも前記第２方向の一方側又は他方側の部分に設けられた構成とすることが可能である。このような態様のコネクタによる場合、金型のキャビティ内に射出される樹脂の流動性の向上を更に図ることができる。なぜなら、第３凹部が第１凹部よりも第２方向の一方側又は他方側に位置しているので、金型の第３突部も、第１突部よりも第２方向の一方側又は他方側に位置する。よって、第１、第３突部間の間隙内を樹脂が流通し易くなる。
【００１９】
前記第３凹部は、一対とすることが可能である。当該一対の第３凹部のうちの一方が、前記ボディの前記残りの第４端子よりも前記第１方向及び前記第２方向に交差する第３方向の一方側の部分に設けられた構成とすることが可能である。他方が前記ボディの前記残りの第４端子よりも前記第３方向の他方側の部分に設けられた構成とすることが可能である。前記第２分断部は、一対とすることが可能である。当該一対の第２分断部のうちの一方が、前記一方の第１凹部と前記一方の第３凹部との間に設けられた構成とすることが可能である。他方が前記他方の第１凹部と前記他方の第３凹部との間に設けられた構成とすることが可能である。
【００２０】
このような態様のコネクタによる場合、金型のキャビティ内に射出される樹脂によって残りの第４端子が位置ずれする可能性を低減することができる。一方の第３凹部を形成するための金型の第３突部が残りの第４端子にＺ方向側から当接し、他方の第３凹部を形成するための金型の第３突部が残りの第４端子にＺ’方向側から当接するので、樹脂によって残りの第４端子が位置ずれする可能性を低減することができる。
【００２１】
前記第３端子の前記第１露出部は、当該第３端子の前記一部の前記第１方向の全領域を有する構成とすることが可能である。前記コネクタは、一対の第５端子、第６端子及び第７端子を更に備えた構成とすることが可能である。前記第５端子は、前記第２方向の成分を含む方向に延びており且つ互いに隣り合う差動信号端子である構成とすることが可能である。前記第５端子は第１露出部を有し、前記第５端子の前記第１露出部は、当該第１端子の前記第２方向の一部の前記第１方向の全領域を有し且つ前記第１凹部から当該ボディ外に露出した構成とすることが可能である。前記第６端子は、前記第２方向の成分を含む方向に延びたグランド端子、又は前記第２方向の成分を含む方向に延びた前記第１端子及び前記第５端子よりも低速の信号を伝送可能な低速信号端子であって、前記第５端子のうちの前記第１方向の一方側の第５端子と前記第３端子との間に配置された構成とすることが可能である。前記第６端子は第１露出部を有し、前記第６端子の前記第１露出部は、当該第６端子の前記第２方向の一部の前記第１方向の一方側の全領域を有し且つ前記第１凹部から当該ボディ外に露出した構成とすることが可能である。前記第７端子は、前記第２方向の成分を含む方向に延びたグランド端子、又は前記第２方向の成分を含む方向に延びた前記第１端子よりも低速の信号を伝送可能な低速信号端子であって、前記第５端子のうちの前記第１方向の他方側の第５端子の隣に配置された構成とすることが可能である。前記第７端子は第１露出部及び第１非露出部を有し、前記第７端子の前記第１露出部は、当該第７端子の前記第２方向の一部のうちの前記第１方向の一方側の領域を有し且つ前記第１凹部から当該ボディ外に露出した構成とすることが可能である。前記第７端子の前記第１非露出部は、当該第７端子の前記一部の前記第１方向の他方側の領域を有し且つ前記ボディに覆われた構成とすることが可能である。
【００２２】
このような態様のコネクタによる場合、第１に、第１端子〜第７端子をボディにインサート成形するときに、金型のキャビティ内に射出される樹脂の流動性の向上を図ることができる。その理由は以下の通りである。第７端子の一部の一方側の領域を有する第１露出部が第１凹部から当該ボディ外に露出し、第７端子の一部の他方側の領域を有する第１非露出部がボディに覆われている。このため、第７端子の一部の全領域が第１凹部から露出する場合に比べて、第１凹部の第１方向の寸法を低減することができる。第２に、一方側の第５端子から発生する電磁波と、他方側の第５端子から発生する電磁波との均一化を図ることができる。これは次の構成により実現される。一方側の第５端子の隣に配置された第６端子の第１露出部が、一方側の第５端子の第１露出部の隣で露出しているため、一方側の第５端子の第１露出部から発生する電磁波が第６端子の第１露出部に吸収される。他方側の第５端子の隣に配置された第７端子の第１露出部が、他方側の第５端子の第１露出部の隣で露出しているため、他方側の第５端子の第１露出部から発生する電磁波が第７端子の第１露出部に吸収される。
【００２３】
前記第６端子は省略可能である。この場合、前記第３端子は、前記他方側の第１端子と前記第５端子のうちの前記第１方向の一方側の第５端子との間に配置された構成とすることが可能である。
【００２４】
このような態様のコネクタによる場合、第１に、第１端子〜第５端子及び第７端子をボディにインサート成形するときに、金型のキャビティ内に射出される樹脂の流動性の向上を図ることができる。その理由は以下の通りである。第７端子の一部の一方側の領域を有する第１露出部が第１凹部から当該ボディ外に露出し、第７端子の一部の他方側の領域を有する第１非露出部がボディに覆われている。このため、第７端子の一部の全領域が第１凹部から露出する場合に比べて、第１凹部の第１方向の寸法を低減することができる。第２に、一方側の第５端子から発生する電磁波と、他方側の第５端子から発生する電磁波との均一化を図ることができる。これは次の構成により実現される。一方側の第５端子の隣に配置された第３端子の第１露出部が、一方側の第５端子の第１露出部の隣で露出しているため、一方側の第５端子の第１露出部から発生する電磁波が第３端子の第１露出部に吸収される。他方側の第５端子の隣に配置された第７端子の第１露出部が、他方側の第５端子の第１露出部の隣で露出しているため、他方側の第５端子の第１露出部から発生する電磁波が第７端子の第１露出部に吸収される。
【００２５】
本発明のコネクタの製造方法は、第１、第２金型の何れか一方に複数の端子を第１方向に間隔をあけて配置し、前記第１、第２金型を型締めして当該第１、第２金型のキャビティ内に前記端子を少なくとも部分的に収容させ、前記キャビティ内に樹脂を射出して当該樹脂内に前記端子を少なくとも部分的にインサートし、前記キャビティ内の前記樹脂を硬化させ、前記第１、第２金型から前記樹脂及び前記端子を取り出すようになっている。前記端子の配置は、前記端子のうちの一対の第１端子を隣り合うように配置し、当該端子のうちの第２端子を前記第１端子のうちの前記第１方向の一方側の第１端子の隣に配置し、当該端子のうちの第３端子を前記第１端子のうちの前記第１方向の他方側の第１端子の隣に配置し、且つ当該端子のうちの第４端子を前記第２端子の前記第１方向の一方側に配置することを含む。前記第１、第２金型の型締めは、当該第１金型の第１突部を、前記第２端子の前記第２方向の一部の前記第１方向の他方側の領域、前記第１端子の前記第２方向の一部の前記第１方向の全領域、及び前記第３端子の前記第２方向の一部の前記第１方向の一方側の領域に当接させ、且つ当該第１金型の第２突部を、前記第４端子の前記第２方向の一部の全領域又は一部分の領域に当接させることを含む。前記樹脂の射出は、前記第１突部と前記第２突部との間の間隙内に前記樹脂を流入させることを含む。
【００２６】
このような態様のコネクタの製造方法は、以下の技術的特徴を有する。第１に、第１、第２金型のキャビティ内に射出される樹脂の流動性の向上を図ることができる。その理由は以下の通りである。射出された樹脂の一部が第１金型の第１、第２突部間の間隙内に流入する。この間隙が樹脂の流路となるので、第１、第２金型に射出される樹脂の流動性の向上を図ることができる。しかも、第１金型の第１突部が、第２端子の一部の第１方向の他方側の領域に当接するものの、当該第２端子の一部の第１方向の一方側の領域に当接しない。よって、第１金型の第１突部が第２端子の一部の全領域に当接する場合に比べて、第１金型の第１突部の長さ寸法が小さくなり、第１金型の第１、第２突部間の間隙が大きくなる。よって、当該間隙の樹脂の流動性が向上する。第２に、一方側の第１端子から発生する電磁波と、他方側の第１端子から発生する電磁波との均一化を図ることができる。これは次の構成により実現される。第１金型の第１突部により成形される樹脂の凹部から、第２端子の第２方向の一部の前記領域、第１端子の第２方向の一部の前記全領域、及び前記第３端子の第２方向の一部の前記領域が露出する。一方側の第１端子の隣に配置された第２端子の前記領域が、一方側の第１端子の一部の隣で露出するので、一方側の第１端子の一部から発生する電磁波が第２端子の前記領域に吸収される。他方側の第１端子の隣に配置された第３端子の前記領域が、他方側の第１端子の一部の隣で露出しているため、他方側の第１端子の一部から発生する電磁波が第３端子の前記領域に吸収される。
【００２７】
前記第２突部は、前記第１突部よりも前記第２方向の一方側に位置していても良い。このような態様のコネクタの製造方法による場合、第１、第２突部間の間隙内を樹脂が流通し易くなるので、金型のキャビティ内に射出される樹脂の流動性の向上を更に図ることができる。
【００２８】
前記第１、第２金型の型締めは、前記第２突部を、少なくとも前記第２端子の前記一部よりも前記第２方向の一方側の部分のうちの前記第１方向の一方側の領域に当接させることを更に含むことが可能である。
【００２９】
このような態様のコネクタの製造方法による場合、第１、第２金型のキャビティ内に射出される樹脂によって第２端子が位置ずれする可能性を低減することができると共に、当該樹脂の流動性を向上させることができる。具体的には以下の通りである。第１金型の第１突部が、第２端子の一部の第１方向の他方側の領域に当接する。第２突部が第２端子の一部よりも前記第２方向の一方側の部分のうちの第１方向の一方側の領域に当接する。すなわち、第１、第２突部が第２端子の第２方向の異なる部分に当接するので、樹脂によって第２端子が位置ずれする可能性を低減することができる。しかも、第２突部が第１突部よりも第２方向の一方側に位置しているので、第１、第２突部間の間隙内を樹脂が流通し易くなる。
【００３０】
前記第１、第２金型の型締めは、当該第２金型の第１突部を、前記第２端子の前記一部の前記第１方向の他方側の領域、前記第１端子の前記一部の前記第１方向の全領域、及び前記第３端子の前記一部の前記第１方向の一方側の領域に、前記第１金型の前記第１突部の反対側から当接させることを更に含むことが可能である。
【００３１】
このような態様のコネクタの製造方法による場合、第１、第２金型のキャビティ内に射出される樹脂によって第１端子、第２端子及び第３端子が位置ずれする可能性を低減することができる。なぜなら、第１金型の第１突部が第１端子、第２端子及び第３端子にＺ方向側から当接し、第２金型の第１突部が第１端子、第２端子及び第３端子にＺ’方向側から当接するためである。
【００３２】
前記第１、第２金型の型締めは、当該第２金型の第２突部を、前記第４端子の前記一部の全領域又は一部分の領域に、前記第１金型の前記第２突部の反対側から当接させることを更に含むことが可能である。前記樹脂の射出は、前記第２金型の前記第１突部と前記第２突部との間の間隙内に前記樹脂を流入させることを更に含むことが可能である。
【００３３】
このような態様のコネクタの製造方法による場合、第１、第２金型のキャビティ内に射出される樹脂によって第４端子が位置ずれする可能性を低減することができる。なぜなら、第１金型の第２突部が第４端子にＺ方向側から当接し、第２金型の第２突部が第４端子にＺ’方向側から当接するためである。
【００３４】
前記端子の配置は、前記第１、第２金型の何れか一方に複数の前記第４端子のうちの一部の第４端子を前記第２端子の前記第１方向の一方側に配置し、且つ前記第４端子のうちの残りの第４端子を配置することを含むことが可能である。前記第１金型の第２突部の当接は、当該第１金型の第２突部を、前記一部の第４端子の前記第２方向の一部の全領域又は一部分の領域に当接させることとすることが可能である。前記第１、第２金型の型締めは、当該第１金型の第３突部を、前記残りの第４端子の前記第２方向の一部の全領域又は一部分の領域に当接させることを更に含むことが可能である。前記樹脂の射出は、前記第１突部と前記第３突部との間の間隙内に前記樹脂を流入させることを更に含むことが可能である。
【００３５】
このような態様のコネクタの製造方法による場合、第１、第２金型のキャビティ内に射出される樹脂によって複数の第４端子が位置ずれする可能性を低減することができると共に、当該樹脂の流動性を向上させることができる。具体的には以下の通りである。第１金型の第２突部が一部の第４端子に当接し、第１金型の第３突部が残りの第４端子に当接するので、樹脂によって第４端子が位置ずれする可能性を低減することができる。しかも、第１金型の第１突部と第２突部との間の間隙及び第１金型の第１突部と第３突部との間の間隙内を樹脂が流通するので、樹脂の流動性を向上させることができる。
【００３６】
前記第３突部は、前記第１突部よりも前記第２方向の一方側に位置していても良い。このような態様のコネクタの製造方法による場合、第１、第３突部間の間隙内を樹脂が流通し易くなるので、金型のキャビティ内に射出される樹脂の流動性の向上を更に図ることができる。
【００３７】
前記第１、第２金型の型締めは、当該第２金型の第３突部を、前記残りの第４端子の前記一部の全領域又は一部分の領域に、前記第１金型の前記第３突部の反対側から当接させることを更に含むことが可能である。前記樹脂の射出は、前記第２金型の前記第１突部と前記第３突部との間の間隙内に前記樹脂を流入させることを更に含むことが可能である。
【００３８】
このような態様のコネクタの製造方法による場合、第１、第２金型のキャビティ内に射出される樹脂によって残りの第４端子が位置ずれする可能性を低減することができる。なぜなら、第１金型の第３突部が残りの第４端子にＺ方向側から当接し、第２金型の第３突部が残りの第４端子にＺ’方向側から当接するためである。
【００３９】
前記端子の配置は、前記端子のうちの一対の第５端子を隣り合うように配置し、当該端子のうちの第６端子を前記第５端子のうちの前記第１方向の一方側の第５端子と前記第３端子との間に配置し、且つ当該端子のうちの第７端子を前記第５端子のうちの前記第１方向の他方側の第５端子の隣に配置することを更に含むことが可能である。前記第１金型の第１突部の当接は、前記第１金型の第１突部を、前記第２端子の前記第２方向の一部の前記第１方向の他方側の領域、前記第１端子の前記第２方向の一部の前記第１方向の全領域、前記第３端子の前記一部の前記第１方向の全領域、前記第６端子の前記第２方向の一部の前記第１方向の全領域、前記第５端子の前記一部の前記第１方向の全領域及び前記第７端子の前記第２方向の一部の前記第１方向の一方側の領域に当接させることを含むことが可能である。
【００４０】
前記第２金型の第１突部の当接は、当該第２金型の第１突部を、前記第２端子の前記第２方向の一部の前記第１方向の他方側の領域、前記第１端子の前記第２方向の一部の前記第１方向の全領域、前記第３端子の前記一部の前記第１方向の全領域、前記第６端子の前記第２方向の一部の前記第１方向の全領域、前記第５端子の前記一部の前記第１方向の全領域及び前記第７端子の前記第２方向の一部の前記第１方向の一方側の領域に、前記第１金型の前記第１突部の反対側から当接させることを含むことが可能である。
【００４１】
これらの態様のコネクタの製造方法による場合、第１、第２金型のキャビティ内に射出される樹脂の流動性の向上を図ることができる。その理由は以下の通りである。第１金型の第１突部が、第７端子の第１露出部に当接するものの、第１非露出部に当接しない。よって、第１金型の第１突部が、第７端子の第１露出部及び第１非露出部に当接する場合に比べて、当該第１突部の第１方向の寸法を低減することができる。
【００４２】
なお、第６端子は省略可能である。この場合、前記端子の配置は、第６端子の配置に代えて、前記第３端子を前記第５端子のうちの前記第１方向の一方側の第５端子と前記他方側の第１端子との間に配置することを含む。
【図面の簡単な説明】
【００４３】
【図１Ａ】本発明の実施例に係るコネクタのボディ及び端子群の正面、平面及び右側面を表した斜視図である。
【図１Ｂ】前記ボディ及び前記端子群の背面、底面及び左側面を表した斜視図である。
【図２Ａ】前記ボディ及び前記端子群の図１Ａ中の２Ａ−２Ａ断面図である。
【図２Ｂ】前記ボディ及び前記端子群の図１Ａ中の２Ｂ−２Ｂ断面図である。
【図３Ａ】前記ボディ及び前記端子群の平面図である。
【図３Ｂ】前記ボディ及び前記端子群の平面図であって、前記ボディを破線で示した図である。
【図４Ａ】前記ボディ及び前記端子群の底面図である。
【図４Ｂ】前記ボディ及び前記端子群の底面図であって、前記ボディを破線で示した図である。
【図５Ａ】前記コネクタの製造方法の工程を示す図２Ａに対応する概略的端面図である。
【図５Ｂ】前記コネクタの製造方法の工程を示す図２Ｂに対応する概略的端面図である。
【発明を実施するための形態】
【００４４】
以下、本発明の実施例に係るコネクタＣついて図１Ａ〜図４Ｄを参照しつつ説明する。コネクタＣは、図示しないケースと、ボディ１００と、端子群２００とを備えている。なお、図２Ａ〜図４Ｂに示すＸ−Ｘ’方向は、コネクタＣの端子群の複数の端子の配列方向であり且つ特許請求の範囲の第１方向に相当する。Ｘ−Ｘ’方向のうちのＸ方向が第１方向の一方、Ｘ’方向が第１方向の他方に相当する。図３Ａ〜図４Ｂに示すＹ−Ｙ’方向は、コネクタＣの端子群の端子の長手方向であり且つ特許請求の範囲の第２方向に相当する。Ｙ−Ｙ’方向は、Ｘ−Ｘ’方向に直角に交差している。Ｙ−Ｙ’方向のうちのＹ方向が第２方向の一方、Ｙ’方向が第２方向の他方に相当する。図２Ａ及び図２Ｂに示すＺ−Ｚ’方向は、コネクタＣの端子群の端子の厚み方向である。Ｚ−Ｚ’方向は、Ｙ−Ｙ’方向及びＸ−Ｘ’方向に直角に交差している。
【００４５】
ボディ１００は絶縁樹脂で構成されている。端子群２００の端子は、Ｇ１、Ｓ１ａ、Ｓ１ｂ、Ｇ２、Ｓ２ａ、Ｓ２ｂ、Ｇ３ａ、Ｇ３ｂ、Ｓ３ａ、Ｓ３ｂ、Ｇ４、Ｓ４ａ、Ｓ４ｂ、Ｇ５の順で、ボディ１００内に同じ高さ位置（第１高さ位置）でＸ−Ｘ’方向に間隔をあけて部分的に保持されている。具体的には、端子群２００の端子は、前述の順で、ボディ１００内に第１高さ位置でＸ−Ｘ’方向に間隔をあけて保持されるようにインサート成形されている。ボディ１００及び端子群２００は、上記ケースに収容されている。ケース内のボディ１００よりもＹ方向側の空間が、相手方コネクタが接続可能な接続孔となっている。
【００４６】
ボディ１００は、第１部１０１、第２部１０２及び第３部１０３を有している。第１部１０１は、ボディ１００の中心部である。第２部１０２は、ボディ１００の第１部１０１のＸ方向及びＹ方向の成分を含む斜め方向側の部分である。第３部１０３は、ボディ１００の第１部１０１のＸ’方向及びＹ方向の成分を含む斜め方向側の部分である。
【００４７】
ボディ１００は、一対の第１凹部１１１と、一対の第２凹部１１２と、一対の第３凹部１１３と、一対の第１分断部１２１と、一対の第２分断部１２２とを更に有している。
【００４８】
一対の第１凹部１１１のうちの一方は、図２Ａ及び図２Ｂに最も良く示されるように、ボディ１００の第１部１０１の端子Ｇ２、Ｓ２ａ、Ｓ２ｂ、Ｇ３ａ、Ｇ３ｂ、Ｓ３ａ、Ｓ３ｂ、Ｇ４よりもＺ方向側の部分に設けられている。一方の第１凹部１１１は、Ｘ−Ｘ’方向に延び且つＺ方向に開口した矩形状の凹部である。一対の第１凹部１１１のうちの他方は、ボディ１００の第１部１０１の端子Ｇ２、Ｓ２ａ、Ｓ２ｂ、Ｇ３ａ、Ｇ３ｂ、Ｓ３ａ、Ｓ３ｂ、Ｇ４よりもＺ’方向側の部分に設けられている。他方の第１凹部１１１は、Ｘ−Ｘ’方向に延び且つＺ’方向に開口した矩形状の凹部である。
【００４９】
一対の第２凹部１１２のうちの一方が、ボディ１００の第２部１０２の端子Ｇ４、Ｓ４ａ、Ｓ４ｂ、Ｇ５よりもＺ方向側の部分に設けられている。一方の第２凹部１１２は、Ｘ−Ｘ’方向に延び且つＺ方向に開口した矩形状の凹部である。一対の第２凹部１１２のうちの他方が、ボディ１００の第２部１０２の端子Ｇ４、Ｓ４ａ、Ｓ４ｂ、Ｇ５よりもＺ’方向側の部分に設けられている。他方の第２凹部１１２は、Ｘ−Ｘ’方向に延び且つＺ’方向に開口した矩形状の凹部である。
【００５０】
一対の第３凹部１１３のうちの一方が、ボディ１００の第３部１０３の端子Ｇ１、Ｓ１ａ、Ｓ１ｂ、Ｇ２よりもＺ方向側の部分に設けられている。一方の第３凹部１１３は、Ｘ−Ｘ’方向に延び且つＺ方向に開口した矩形状の凹部である。一方の第３凹部１１３は、一方の第２凹部１１２のＸ’方向側に間隔をあけて配置されている。一対の第３凹部１１３のうちの他方が、ボディ１００の第３部１０３の端子Ｇ１、Ｓ１ａ、Ｓ１ｂ、Ｇ２よりもＺ’方向側の部分に設けられている。他方の第３凹部１１３は、Ｘ−Ｘ’方向に延び且つＺ’方向に開口した矩形状の凹部である。他方の第３凹部１１３は、他方の第２凹部１１２のＸ’方向側に間隔をあけて配置されている。
【００５１】
一対の第１分断部１２１のうちの一方は、図３Ａに最も良く示されるように、ボディ１００の一方の第１凹部１１１と一方の第２凹部１１２との間の樹脂（ボディ１００を構成する樹脂の一部）であって、一方の第１凹部１１１と一方の第２凹部１１２とを分断している。一対の第１分断部１２１のうちの他方は、図３Ｂに最も良く示されるように、ボディ１００の他方の第１凹部１１１と他方の第２凹部１１２との間に設けられており且つ他方の第１凹部１１１と他方の第２凹部１１２とを分断している。
【００５２】
一対の第２分断部１２２のうちの一方は、図３Ａに最も良く示されるように、ボディ１００の一方の第１凹部１１１と一方の第３凹部１１３との間の樹脂（ボディ１００を構成する樹脂の一部）であって、一方の第１凹部１１１と一方の第３凹部１１３とを分断している。一対の第２分断部１２２のうちの他方は、図３Ｂに最も良く示されるように、ボディ１００の他方の第１凹部１１１と他方の第３凹部１１３との間に設けられており且つ他方の第１凹部１１１と他方の第３凹部１１３とを分断している。 
【００５３】
端子群２００の端子は、上記の通り、端子Ｓ１ａ、Ｓ１ｂ、Ｓ２ａ、Ｓ２ｂ、Ｓ３ａ、Ｓ３ｂ、Ｓ４ａ、Ｓ４ｂ、Ｇ１、Ｇ２、Ｇ３ａ、Ｇ３ｂ、Ｇ４、Ｇ５を含む。
【００５４】
端子Ｓ３ａ、Ｓ３ｂは、図１Ａ〜図４Ｂに示されるように、Ｙ−Ｙ’方向に延びており且つ互いに隣り合う差動信号端子である。端子Ｓ３ａがＸ’方向側に位置し、端子Ｓ３ｂがＸ方向側に位置している。端子Ｓ３ｂ、Ｓ３ａが特許請求の範囲の一方側の第１端子、他方側の第１端子に相当する。
【００５５】
端子Ｓ３ａは、接点部Ｓ３ａ１と、接続部Ｓ３ａ２と、中間部Ｓ３ａ３と、第１露出部Ｓ３ａ４とを有している。接点部Ｓ３ａ１は、Ｙ−Ｙ’方向に延びている。接点部Ｓ３ａ１は、ボディ１００からＹ方向に突出しており且つ上記接続孔内に配置されている。接点部Ｓ３ａ１の先端部は、Ｚ’方向に湾曲している。
【００５６】
接続部Ｓ３ａ２はＹ−Ｙ’方向に延びている。接続部Ｓ３ａ２は、接点部Ｓ３ａ１のＸ方向及びＹ’方向の成分を含む斜め方向側に位置している。接続部Ｓ３ａ２は接点部Ｓ３ａ１と同じ高さ位置に位置している。接続部Ｓ３ａ２は、前部と、後部とを有している。接続部Ｓ３ａ２の前部は、接続部Ｓ３ａ２のＹ方向側の部分であって、ボディ１００内に保持されている。すなわち、接続部Ｓ３ａ２の前部は、接続部Ｓ３ａ２の前部とボディ１００との間に隙間なく、ボディ１００に覆われている。接続部Ｓ３ａ２の後部は、接続部Ｓ３ａ２の前部に連続するＹ’方向側の部分であって、ボディ１００からＹ’方向に突出している。
【００５７】
中間部Ｓ３ａ３は、接点部Ｓ３ａ１と接続部Ｓ３ａ２の前部との間に設けられ、接点部Ｓ３ａ１と接続部Ｓ３ａ２とを繋いでおり且つボディ１００内に保持されている。すなわち、中間部Ｓ３ａ３は、中間部Ｓ３ａ３とボディ１００との間に隙間なく、ボディ１００に覆われている。中間部Ｓ３ａ３は、接点部Ｓ３ａ１から接続部Ｓ３ａ２へＸ方向及びＹ’方向の成分を含む斜め方向に延びている（傾斜している）。
【００５８】
第１露出部Ｓ３ａ４は、図３Ｂ及び図４Ｂに示されるように、端子Ｓ３ａのＹ−Ｙ’方向の一部（第１部）であって、当該第１部のＸ−Ｘ’方向の全領域を有している。第１露出部Ｓ３ａ４は、図２Ａに最も良く示されるように、ボディ１００の一方の第１凹部１１１及び他方の第１凹部１１１からボディ１００外に露出している。
【００５９】
端子Ｓ３ｂは、接点部Ｓ３ｂ１と、接続部Ｓ３ｂ２と、中間部Ｓ３ｂ３と、第１露出部Ｓ３ｂ４とを有している。接点部Ｓ３ｂ１は、接点部Ｓ３ａ１と同様の構成である。接点部Ｓ３ｂ１は、接点部Ｓ３ａ１のＸ方向側に間隔をあけて配置されかつ且つ上記接続孔内に配置されている。
【００６０】
接続部Ｓ３ｂ２は、接続部Ｓ３ａ２と同様の構成である。接続部Ｓ３ｂ２は、接点部Ｓ３ｂ１のＸ方向及びＹ’方向の成分を含む斜め方向側に位置するように、接続部Ｓ３ｂ２は接続部Ｓ３ａ２のＸ方向側に間隔をあけて配置されている。接続部Ｓ３ｂ２は接点部Ｓ３ｂ１と同じ高さ位置に位置している。
【００６１】
中間部Ｓ３ｂ３は、接点部Ｓ３ｂ１と接続部Ｓ３ｂ２の前部との間に設けられ、接点部Ｓ３ｂ１と接続部Ｓ３ｂ２とを繋いでおり且つボディ１００内に保持されている。すなわち、中間部Ｓ３ｂ３は、中間部Ｓ３ｂ３とボディ１００との間に隙間なく、ボディ１００に覆われている。中間部Ｓ３ｂ３は、接点部Ｓ３ｂ１から接続部Ｓ３ｂ２へＸ方向及びＹ’方向の成分を含む斜め方向に延びている（傾斜している）。中間部Ｓ３ｂ３は中間部Ｓ３ａ３のＸ方向側に間隔をあけて配置されている。中間部Ｓ３ｂ３の接点部Ｓ３ｂ１に対する傾斜角は、中間部Ｓ３ａ３の接点部Ｓ３ａ１に対する傾斜角と同じである。
【００６２】
第１露出部Ｓ３ｂ４は、図３Ｂ及び図４Ｂに示されるように、端子Ｓ３ｂのＹ−Ｙ’方向の一部（第１部）であって、当該第１部のＸ−Ｘ’方向の全領域を有している。第１露出部Ｓ３ｂ４は、端子Ｓ３ａの第１露出部Ｓ３ａ４のＸ方向側に間隔をあけて配置されている。第１露出部Ｓ３ｂ４は、図２Ａに最も良く示されるように、ボディ１００の一方の第１凹部１１１及び他方の第１凹部１１１からボディ１００外に露出している。
【００６３】
端子Ｇ４は、図１Ａ〜図４Ｂに示されるように、Ｙ−Ｙ’方向に延びており且つ端子Ｓ３ｂと端子Ｓ４ａとの間に配置されたグランド端子又は低速信号端子である。この低速信号端子は、端子Ｓ３ａ、Ｓ３ｂ、Ｓ４ａ、Ｓ４ｂよりも低速の信号を伝送可能な端子である。例えば、低速信号端子として、端子Ｓ３ａ、Ｓ３ｂ、Ｓ４ａ、Ｓ４ｂに伝送される信号の周波数の１／１０以下又は１／１００以下の周波数の信号を伝送可能なシングルエンド信号端子、電源端子又は機能端子等を用いることが可能である。なお、端子Ｇ４が特許請求の範囲の第２端子に相当する。
【００６４】
端子Ｇ４は、接点部Ｇ４１と、接続部Ｇ４２と、中間部Ｇ４３と、第１露出部Ｇ４４と、第２露出部Ｇ４５と、第１非露出部Ｇ４６と、第２非露出部Ｇ４７とを有している。接点部Ｇ４１は、Ｙ−Ｙ’方向に延び、ボディ１００からＹ方向に突出しており且つ上記接続孔内に配置されている。接点部Ｇ４１は、端子Ｓ３ｂの接点部Ｓ３ｂ１のＸ方向側に間隔をあけて配置されている。接点部Ｇ４１の先端部は、Ｚ’方向に湾曲している。
【００６５】
接続部Ｇ４２はＹ−Ｙ’方向に延びている。接続部Ｇ４２は、端子Ｓ３ｂの接続部Ｓ３ｂ２のＸ方向側に間隔をあけて配置されている。接続部Ｇ４２は、接点部Ｇ４１のＸ方向及びＹ’方向の成分を含む斜め方向側に位置している。接続部Ｇ４２は、接点部Ｇ４１と同じ高さ位置に位置している。接続部Ｇ４２は、前部と、後部とを有している。接続部Ｇ４２の前部は、接続部Ｇ４２のＹ方向側の部分であって、ボディ１００内に保持されている。すなわち、接続部Ｇ４２の前部は、接続部Ｇ４２の前部とボディ１００との間に隙間なく、ボディ１００に覆われている。接続部Ｇ４２の後部は、接続部Ｇ４２の前部に連続するＹ’方向側の部分であって、ボディ１００からＹ’方向に突出している。
【００６６】
中間部Ｇ４３は、接点部Ｇ４１と接続部Ｇ４２の前部との間に設けられ、接点部Ｇ４１と接続部Ｇ４２とを繋いでおり且つボディ１００内に保持されている。すなわち、中間部Ｇ４３は、中間部Ｇ４３とボディ１００との間に隙間なく、ボディ１００に覆われている。中間部Ｇ４３は、接点部Ｇ４１から接続部Ｇ４２へＸ方向及びＹ’方向の成分を含む斜め方向に延びている（傾斜している）。中間部Ｇ４３は、端子Ｓ３ｂの中間部Ｓ３ｂ３のＸ方向側に間隔をあけて配置されている。
【００６７】
第１露出部Ｇ４４は、図３Ｂ及び図４Ｂに示されるように、端子Ｇ４のＹ−Ｙ’方向の一部（第１部）のＸ’方向側の領域を有する部分である。第１露出部Ｇ４４は、端子Ｓ３ｂの第１露出部Ｓ３ｂ４のＸ方向側に間隔をあけて配置されている。第１露出部Ｇ４４は、図２Ａに最も良く示されるように、ボディ１００の一方の第１凹部１１１及び他方の第１凹部１１１からボディ１００外に露出している。
【００６８】
第１非露出部Ｇ４６は、図３Ｂ及び図４Ｂに示されるように、端子Ｇ４の第１部のＸ方向側の領域を有する部分である。換言すると、第１非露出部Ｇ４６は、端子Ｇ４の第１部の第１露出部Ｇ４４のＸ方向側の部分である。第１非露出部Ｇ４６は、図２Ａに最も良く示されるように、ボディ１００内に保持されている。すなわち、第１非露出部Ｇ４６は、第１非露出部Ｇ４６とボディ１００との間に隙間なく、ボディ１００に覆われている。
【００６９】
第２露出部Ｇ４５は、図３Ｂ及び図４Ｂに示されるように、端子Ｇ４の第１部よりもＹ方向側の一部（第２部）のＸ方向側の領域を有する部分である。第２露出部Ｇ４５は、図２Ｂに最も良く示されるように、ボディ１００の一方の第２凹部１１２及び他方の第２凹部１１２からボディ１００外に露出している。
【００７０】
第２非露出部Ｇ４７は、図３Ｂ及び図４Ｂに示されるように、端子Ｇ４の第２部のＸ’方向側の領域を有する部分である。換言すると、第２非露出部Ｇ４７は、端子Ｇ４の第２部の第２露出部Ｇ４５のＸ’方向側の部分である。第２非露出部Ｇ４７は、図２Ｂに最も良く示されるように、ボディ１００内に保持されている。すなわち、第２非露出部Ｇ４７は、第２非露出部Ｇ４７とボディ１００との間に隙間なく、ボディ１００に覆われている。
【００７１】
端子Ｓ４ａ、Ｓ４ｂは、Ｙ−Ｙ’方向に延びており且つ端子Ｓ３ａ、Ｓ３ｂよりもＸ方向側で互いに隣り合う差動信号端子である。端子Ｓ４ａがＸ’方向側に位置し、端子Ｓ４ｂがＸ方向側に位置している。なお、端子Ｓ４ａ、Ｓ４ｂは、特許請求の範囲の一部の第４端子に相当する。
【００７２】
端子Ｓ４ａは、接点部Ｓ４ａ１と、接続部Ｓ４ａ２と、中間部Ｓ４ａ３と、第１露出部Ｓ４ａ４を有している。接点部Ｓ４ａ１は、接点部Ｓ３ａ１と同様の構成であって、端子Ｇ４の接点部Ｇ４１のＸ方向側に間隔をあけて配置されている。接続部Ｓ４ａ２は、接続部Ｓ３ａ２と同様の構成である。接続部Ｓ４ａ２は、接点部Ｓ４ａ１のＸ方向及びＹ’方向の成分を含む方向（斜め後方に）側に位置するように、端子Ｇ４の接続部Ｇ４２のＸ方向側に間隔をあけて配置されている。接続部Ｓ４ａ２は、接点部Ｓ４ａ１と同じ高さ位置に位置している。
【００７３】
中間部Ｓ４ａ３は、接点部Ｓ４ａ１と接続部Ｓ４ａ２の前部との間に設けられ、接点部Ｓ４ａ１と接続部Ｓ４ａ２とを繋いでおり且つボディ１００内に保持されている。すなわち、中間部Ｓ４ａ３は、中間部Ｓ４ａ３とボディ１００との間に隙間なく、ボディ１００に覆われている。中間部Ｓ４ａ３は、接点部Ｓ４ａ１から接続部Ｓ４ａ２へＸ方向及びＹ’方向の成分を含む斜め方向に延びている（傾斜している）。中間部Ｓ４ａ３は、端子Ｇ４の中間部Ｇ４３のＸ方向側に間隔をあけて配置されている。中間部Ｓ４ａ３は、中間部Ｓ３ａ３、Ｓ３ｂ３よりもＸ方向に傾斜している。換言すると、中間部Ｓ４ａ３の接点部Ｓ４ａ１に対する傾斜角は、中間部Ｓ３ａ３、Ｓ３ｂ３の接点部Ｓ３ａ１、Ｓ３ｂ１に対する傾斜角よりも大きい。
【００７４】
第１露出部Ｓ４ａ４は、図３Ｂ及び図４Ｂに示されるように、端子Ｓ４ａのＹ−Ｙ’方向の一部（第１部）であって、当該第１部のＸ−Ｘ’方向の全領域を有している。第１露出部Ｓ４ａ４は、第２露出部Ｇ４５のＸ方向側に間隔をあけて配置されている。第１露出部Ｓ４ａ４は、図２Ｂに最も良く示されるように、ボディ１００の一方の第２凹部１１２及び他方の第２凹部１１２からボディ１００外に露出している。
【００７５】
端子Ｓ４ｂは、接点部Ｓ４ｂ１と、接続部Ｓ４ｂ２と、中間部Ｓ４ｂ３と、第１露出部Ｓ４ｂ４を有している。接点部Ｓ４ｂ１は、接点部Ｓ３ｂ１と同様の構成であって、端子Ｓ４ａの接点部Ｓ４ａ１のＸ方向側に間隔をあけて配置されている。接続部Ｓ４ｂ２は、接続部Ｓ３ｂ２と同様の構成である。接続部Ｓ４ｂ２は、接点部Ｓ４ｂ１のＸ方向及びＹ’方向の成分を含む斜め方向側に位置するように、接続部Ｓ４ａ２のＸ方向側に間隔をあけて配置されている。接続部Ｓ４ｂ２は、接点部Ｓ４ｂ１と同じ高さ位置に位置している。
【００７６】
中間部Ｓ４ｂ３は、接点部Ｓ４ｂ１と接続部Ｓ４ｂ２の前部との間に設けられ、接点部Ｓ４ｂ１と接続部Ｓ４ｂ２とを繋いでおり且つボディ１００内に保持されている。すなわち、中間部Ｓ４ｂ３は、中間部Ｓ４ｂ３とボディ１００との間に隙間なく、ボディ１００に覆われている。中間部Ｓ４ｂ３は、接点部Ｓ４ｂ１から接続部Ｓ４ｂ２へＸ方向及びＹ’方向の成分を含む斜め方向に延びている（傾斜している）。中間部Ｓ４ｂ３は中間部Ｓ４ａ３のＸ方向側に間隔をあけて配置されている。中間部Ｓ４ｂ３の接点部Ｓ４ｂ１に対する傾斜角は、中間部Ｓ４ａ３の接点部Ｓ４ａ１に対する傾斜角と同じである。
【００７７】
第１露出部Ｓ４ｂ４は、図３Ｂ及び図４Ｂに示されるように、端子Ｓ４ｂのＹ−Ｙ’方向の一部（第１部）であって、当該第１部のＸ−Ｘ’方向の全領域を有している。第１露出部Ｓ４ｂ４は、第１露出部Ｓ４ａ４のＸ方向側に間隔をあけて配置されている。第１露出部Ｓ４ｂ４は、図２Ｂに最も良く示されるように、ボディ１００の一方の第２凹部１１２及び他方の第２凹部１１２からボディ１００外に露出している。
【００７８】
端子Ｇ５は、Ｙ−Ｙ’方向に延びており且つ端子Ｓ４ｂのＸ方向側に配置されたグランド端子又は低速信号端子である。この低速信号端子は、端子Ｓ４ａ、Ｓ４ｂよりも低速の信号を伝送可能な端子である。例えば、低速信号端子として、端子Ｓ４ａ、Ｓ４ｂに伝送される信号の周波数の１／１０以下又は１／１００以下の周波数の信号を伝送可能なシングルエンド信号端子、電源端子又は機能端子等を用いることが可能である。なお、端子Ｇ５は、特許請求の範囲の一部の第４端子に相当する。
【００７９】
端子Ｇ５は、接点部Ｇ５１と、接続部Ｇ５２と、中間部Ｇ５３と、第１露出部Ｇ５４と、第１非露出部Ｇ５５とを有している。接点部Ｇ５１は、接点部Ｇ３ｂ１と同様の構成であって、端子Ｓ４ｂの接点部Ｓ４ｂ１のＸ方向側に間隔をあけて配置されている。接続部Ｇ５２は、接続部Ｇ３ｂ２と同様の構成であって、接点部Ｇ５１のＸ方向及びＹ’方向の成分を含む斜め方向側に位置するように、端子Ｓ４ｂの接続部Ｓ４ｂ２のＸ方向側に間隔をあけて配置されている。接続部Ｇ５２は、接点部Ｇ５１と同じ高さ位置に位置している。
【００８０】
中間部Ｇ５３は、接点部Ｇ５１と接続部Ｇ５２の前部との間に設けられ、接点部Ｇ５１と接続部Ｇ５２とを繋いでおり且つボディ１００内に保持されている。すなわち、中間部Ｇ５３は、中間部Ｇ５３とボディ１００との間に隙間なく、ボディ１００に覆われている。中間部Ｇ５３は、接点部Ｇ５１から接続部Ｇ５２へＸ方向及びＹ’方向の成分を含む斜め方向に延びている（傾斜している）。中間部Ｇ５３は、端子Ｓ４ｂの中間部Ｓ４ｂ３のＸ方向側に間隔をあけて配置されている。
【００８１】
第１露出部Ｇ５４は、図３Ｂ及び図４Ｂに示されるように、端子Ｇ５のＹ−Ｙ’方向の一部（第１部）のＸ’方向側の領域を有する部分である。第１露出部Ｇ５４は、端子Ｓ４ｂの第１露出部Ｓ４ｂ４のＸ方向側に間隔をあけて配置されている。第１露出部Ｇ５４は、図２Ｂに最も良く示されるように、ボディ１００の一方の第２凹部１１２及び他方の第２凹部１１２からボディ１００外に露出している。
【００８２】
第１非露出部Ｇ５５は、図３Ｂ及び図４Ｂに示されるように、端子Ｇ５の第１部のＸ方向側の領域を有する部分である。換言すると、第１非露出部Ｇ５５は、端子Ｇ５の第１部の第１露出部Ｇ５４のＸ方向側の部分である。第１非露出部Ｇ５５は、図２Ｂに最も良く示されるように、ボディ１００内に保持されている。すなわち、第１非露出部Ｇ５５は、第１非露出部Ｇ５５とボディ１００との間に隙間なく、ボディ１００に覆われている。
【００８３】
端子Ｇ３ａ、Ｇ３ｂは、図１Ａ〜図４Ｂに示されるように、Ｙ−Ｙ’方向に延びており且つ端子Ｓ３ａと端子Ｓ２ｂとの間に配置されたグランド端子又は低速信号端子である。この低速信号端子は、端子Ｓ３ａ、Ｓ３ｂ、Ｓ２ａ、Ｓ２ｂよりも低速の信号を伝送可能な端子である。例えば、低速信号端子として、端子Ｓ３ａ、Ｓ３ｂ、Ｓ２ａ、Ｓ２ｂに伝送される信号の周波数の１／１０以下又は１／１００以下の周波数の信号を伝送可能なシングルエンド信号端子、電源端子又は機能端子等を用いることが可能である。なお、端子Ｇ３ａが、特許請求の範囲の第６端子に相当する。端子Ｇ３ｂが、特許請求の範囲の第３端子に相当する。
【００８４】
端子Ｇ３ｂは、接点部Ｇ３ｂ１と、接続部Ｇ３ｂ２と、中間部Ｇ３ｂ３と、第１露出部Ｇ３ｂ４とを有している。接点部Ｇ３ｂ１は、端子Ｇ４の接点部Ｇ４１と同様の構成である。接点部Ｇ３ｂ１は、端子Ｓ３ａの接点部Ｓ３ａ１のＸ’方向側に間隔をあけて配置されている。
【００８５】
接続部Ｇ３ｂ２はＹ−Ｙ’方向に延びている。接続部Ｇ３ｂ２は、端子Ｓ３ａの接続部Ｓ３ａ２のＸ’方向側に間隔をあけて配置されている。接続部Ｇ３ｂ２は、接点部Ｇ３ｂ１のＸ方向及びＹ’方向の成分を含む斜め方向側に位置している。接続部Ｇ３ｂ２は、接点部Ｇ３ｂ１と同じ高さ位置に位置している。接続部Ｇ３ｂ２は、前部と、後部とを有している。接続部Ｇ３ｂ２の前部は、接続部Ｇ３ｂ２のＹ方向側の部分であって、ボディ１００内に保持されている。すなわち、接続部Ｇ３ｂ２の前部は、接続部Ｇ３ｂ２の前部とボディ１００との間に隙間なく、ボディ１００に覆われている。接続部Ｇ３ｂ２の後部は、接続部Ｓ３ａ２の前部に連続するＹ’方向側の部分であって、ボディ１００からＹ’方向に突出している。
【００８６】
中間部Ｇ３ｂ３は、接点部Ｇ３ｂ１と接続部Ｇ３ｂ２の前部との間に設けられ、接点部Ｇ３ｂ１と接続部Ｇ３ｂ２とを繋いでおり且つボディ１００内に保持されている。すなわち、中間部Ｇ３ｂ３は、中間部Ｇ３ｂ３とボディ１００との間に隙間なく、ボディ１００に覆われている。中間部Ｇ３ｂ３は、接点部Ｇ３ｂ１から接続部Ｇ３ｂ２へＸ方向及びＹ’方向の成分を含む斜め方向に延びている（傾斜している）。中間部Ｇ３ｂ３は、端子Ｓ３ａの中間部Ｓ３ａ３のＸ’方向側に間隔をあけて配置されている。
【００８７】
第１露出部Ｇ３ｂ４は、図３Ｂ及び図４Ｂに示されるように、端子Ｇ３ｂのＹ−Ｙ’方向の一部（第１部）であって、当該第１部のＸ−Ｘ’方向の全領域を有している。第１露出部Ｇ３ｂ４は、端子Ｓ３ａの第１露出部Ｓ３ａ４のＸ’方向側に間隔をあけて配置されている。第１露出部Ｇ３ｂ４は、図２Ａに最も良く示されるように、ボディ１００の一方の第１凹部１１１及び他方の第１凹部１１１からボディ１００外に露出している。
【００８８】
端子Ｇ３ａは、接点部Ｇ３ａ１と、接続部Ｇ３ａ２と、中間部Ｇ３ａ３と、第１露出部Ｇ３ａ４とを有している。接点部Ｇ３ａ１は、端子Ｇ４の接点部Ｇ４１と同様の構成であって、端子Ｇ３ｂの接点部Ｇ３ｂ１のＸ’方向側に間隔をあけて配置されている。
【００８９】
接続部Ｇ３ａ２は、端子Ｇ３ｂの接続部Ｇ３ｂ２と同様の構成であって、接続部Ｇ３ｂ２のＸ’方向側に間隔をあけて配置されている。接続部Ｇ３ａ２は、接点部Ｇ３ａ１のＸ方向及びＹ’方向の成分を含む斜め方向側に位置している。接続部Ｇ３ａ２は、接点部Ｇ３ａ１と同じ高さ位置に位置している。
【００９０】
中間部Ｇ３ａ３は、接点部Ｇ３ａ１と接続部Ｇ３ａ２の前部との間に設けられ、接点部Ｇ３ａ１と接続部Ｇ３ａ２とを繋いでおり且つボディ１００内に保持されている。すなわち、中間部Ｇ３ａ３は、中間部Ｇ３ａ３とボディ１００との間に隙間なく、ボディ１００に覆われている。中間部Ｇ３ａ３は、接点部Ｇ３ａ１から接続部Ｇ３ａ２へＸ方向及びＹ’方向の成分を含む斜め方向に延びている（傾斜している）。中間部Ｇ３ａ３は、端子Ｇ３ｂの中間部Ｇ３ｂ３のＸ’方向側に間隔をあけて配置されている。
【００９１】
第１露出部Ｇ３ａ４は、図３Ｂ及び図４Ｂに示されるように、端子Ｇ３ａのＹ−Ｙ’方向の一部（第１部）であって、当該第１部のＸ−Ｘ’方向の全領域を有している。第１露出部Ｇ３ａ４は、端子Ｇ３ｂの第１露出部Ｇ３ｂ４のＸ’方向側に間隔をあけて配置されている。第１露出部Ｇ３ａ４は、図２Ａに最も良く示されるように、ボディ１００の一方の第１凹部１１１及び他方の第１凹部１１１からボディ１００外に露出している。
【００９２】
端子Ｓ２ａ、Ｓ２ｂは、図１Ａ〜図４Ｂに示されるように、Ｙ−Ｙ’方向に延びており且つ端子Ｓ３ａ、Ｓ３ｂよりもＸ’方向側で互いに隣り合う差動信号端子である。端子Ｓ２ａがＸ’方向側に位置し、端子Ｓ２ｂがＸ方向側に位置している。端子Ｓ２ｂ、Ｓ２ａは、特許請求の範囲の一方側の第５端子、他方側の第５端子に相当する。
【００９３】
端子Ｓ２ｂは、接点部Ｓ２ｂ１と、接続部Ｓ２ｂ２と、中間部Ｓ２ｂ３と、第１露出部Ｓ２ｂ４とを有している。接点部Ｓ２ｂ１は、接点部Ｓ３ｂ１と同様の構成であって、端子Ｇ３ａの接点部Ｇ３ａ１のＸ’方向側に間隔をあけて配置されている。接続部Ｓ２ｂ２は、接続部Ｓ３ｂ２と同様の構成であって、接点部Ｓ２ｂ１のＸ方向及びＹ’方向の成分を含む斜め方向側に位置するように、端子Ｇ３ａの接続部Ｇ３ａ２のＸ’方向側に間隔をあけて配置されている。
【００９４】
中間部Ｓ２ｂ３は、接点部Ｓ２ｂ１と接続部Ｓ２ｂ２の前部との間に設けられ、接点部Ｓ２ｂ１と接続部Ｓ２ｂ２とを繋いでおり且つボディ１００内に保持されている。すなわち、中間部Ｓ２ｂ３は、中間部Ｓ２ｂ３とボディ１００との間に隙間なく、ボディ１００に覆われている。中間部Ｓ２ｂ３は、接点部Ｓ２ｂ１から接続部Ｓ２ｂ２へＸ方向及びＹ’方向の成分を含む斜め方向に延びている（傾斜している）。中間部Ｓ２ｂ３は、端子Ｇ３ａの中間部Ｇ３ａ３のＸ’方向側に間隔をあけて配置されている。中間部Ｓ２ｂ３の接点部Ｓ２ｂ１に対する傾斜角は、中間部Ｓ３ａ３、Ｓ３ｂ３の接点部Ｓ３ａ１、Ｓ３ｂ１に対する傾斜角よりも小さい。
【００９５】
第１露出部Ｓ２ｂ４は、図３Ｂ及び図４Ｂに示されるように、端子Ｓ２ｂのＹ−Ｙ’方向の一部（第１部）であって、当該第１部のＸ−Ｘ’方向の全領域を有している。第１露出部Ｓ２ｂ４は、端子Ｇ３ａの第１露出部Ｇ３ａ４のＸ’方向側に間隔をあけて配置されている。第１露出部Ｓ２ｂ４は、図２Ａに最も良く示されるように、ボディ１００の一方の第１凹部１１１及び他方の第１凹部１１１からボディ１００外に露出している。
【００９６】
端子Ｓ２ａは、接点部Ｓ２ａ１と、接続部Ｓ２ａ２と、中間部Ｓ２ａ３と、第１露出部Ｓ２ａ４とを有している。接点部Ｓ２ａ１は、端子Ｓ３ａの接点部Ｓ３ａ１と同様の構成であって、端子Ｓ２ｂの接点部Ｓ２ｂ１のＸ’方向側に間隔をあけて配置されている。接続部Ｓ２ａ２は、端子Ｓ３ａの接続部Ｓ３ａ２と同様の構成であって、接点部Ｓ２ａ１のＸ方向及びＹ’方向の成分を含む斜め方向側に位置するように、端子Ｓ２ｂの接続部Ｓ２ｂ２のＸ’方向側に間隔をあけて配置されている。接続部Ｓ２ａ２は接点部Ｓ２ａ１と同じ高さ位置に位置している。
【００９７】
中間部Ｓ２ａ３は、接点部Ｓ２ａ１と接続部Ｓ２ａ２の前部との間に設けられ、接点部Ｓ２ａ１と接続部Ｓ２ａ２とを繋いでおり且つボディ１００内に保持されている。すなわち、中間部Ｓ２ａ３は、中間部Ｓ２ａ３とボディ１００との間に隙間なく、ボディ１００に覆われている。中間部Ｓ２ａ３は、接点部Ｓ２ａ１から接続部Ｓ２ａ２へＸ方向及びＹ’方向の成分を含む斜め方向に延びている（傾斜している）。中間部Ｓ２ａ３は、端子Ｓ２ｂの中間部Ｓ２ｂ３のＸ’方向側に間隔をあけて配置されている。中間部Ｓ２ｂ３の接点部Ｓ２ｂ１に対する傾斜角は、中間部Ｓ２ａ３の接点部Ｓ２ａ１に対する傾斜角と同じである。
【００９８】
第１露出部Ｓ２ａ４は、図３Ｂ及び図３Ｂに示されるように、端子Ｓ２ａのＹ−Ｙ’方向の一部（第１部）であって、当該第１部のＸ−Ｘ’方向の全領域を有している。第１露出部Ｓ２ａ４は、端子Ｓ２ｂの第１露出部Ｓ２ｂ４のＸ’方向側に間隔をあけて配置されている。第１露出部Ｓ２ａ４は、図２Ａに最も良く示されるように、ボディ１００の一方の第１凹部１１１及び他方の第１凹部１１１からボディ１００外に露出している。
【００９９】
端子Ｇ２は、図１Ａ〜図４Ｂに示されるように、Ｙ−Ｙ’方向に延びており且つ端子Ｓ２ａと端子Ｓ１ｂとの間に配置されたグランド端子又は低速信号端子である。この低速信号端子は、端子Ｓ１ａ、Ｓ１ｂ、Ｓ２ａ、Ｓ２ｂよりも低速の信号を伝送可能な端子である。例えば、低速信号端子として、端子Ｓ１ａ、Ｓ１ｂ、Ｓ２ａ、Ｓ２ｂに伝送される信号の周波数の１／１０以下又は１／１００以下の周波数の信号を伝送可能なシングルエンド信号端子、電源端子又は機能端子等を用いることが可能である。なお、端子Ｇ２が特許請求の範囲の第７端子に相当する。
【０１００】
端子Ｇ２は、接点部Ｇ２１と、接続部Ｇ２２と、中間部Ｇ２３と、第１露出部Ｇ２４と、第２露出部Ｇ２５と、第１非露出部Ｇ２６と、第２非露出部Ｇ２７とを有している。接点部Ｇ２１は、端子Ｇ４の接点部Ｇ４１と同様の構成である。接点部Ｇ２１は、端子Ｓ２ａの接点部Ｓ２ａ１のＸ’方向側に間隔をあけて配置されている。
【０１０１】
接続部Ｇ２２は、端子Ｇ４の接続部Ｇ４２と同様の構成である。接続部Ｇ２２は、接点部Ｇ２１のＸ方向及びＹ’方向の成分を含む斜め方向側に位置するように、端子Ｓ２ａの接続部Ｓ２ａ２のＸ’方向側に間隔をあけて配置されている。接続部Ｇ２２は、接点部Ｇ２１と同じ高さ位置に位置している。
【０１０２】
中間部Ｇ２３は、接点部Ｇ２１と接続部Ｇ２２の前部との間に設けられ、接点部Ｇ２１と接続部Ｇ２２とを繋いでおり且つボディ１００内に保持されている。すなわち、中間部Ｇ２３は、中間部Ｇ２３とボディ１００との間に隙間なく、ボディ１００に覆われている。中間部Ｇ２３は、接点部Ｇ２１から接続部Ｇ２２へＸ方向及びＹ’方向の成分を含む斜め方向に延びている（傾斜している）。中間部Ｇ２３は、端子Ｓ２ａの中間部Ｓ２ａ３のＸ’方向側に間隔をあけて配置されている。
【０１０３】
第１露出部Ｇ２４は、図３Ｂ及び図４Ｂに示されるように、端子Ｇ２のＹ−Ｙ’方向の一部（第１部）であって、当該第１部のＸ方向側の領域を有する部分である。第１露出部Ｇ２４は、図２Ａに最も良く示されるように、ボディ１００の一方の第１凹部１１１及び他方の第１凹部１１１からボディ１００外に露出している。
【０１０４】
第１非露出部Ｇ２６は、図３Ｂ及び図４Ｂに示されるように、端子Ｇ２の第１部のＸ’方向側の領域を有する部分である。換言すると、第１非露出部Ｇ２６は、端子Ｇ２の第１部の第１露出部Ｇ２４のＸ’方向側の部分である。第１非露出部Ｇ２６は、図２Ａに最も良く示されるように、ボディ１００内に保持されている。すなわち、第１非露出部Ｇ２６は、第１非露出部Ｇ２６とボディ１００との間に隙間なく、ボディ１００に覆われている。
【０１０５】
第２露出部Ｇ２５は、図３Ｂ及び図４Ｂに示されるように、端子Ｇ２の第１部よりもＹ方向側の一部（第２部）のＸ’方向側の領域を有する部分である。第２露出部Ｇ２５は、図２Ｂに最も良く示されるように、ボディ１００の一方の第３凹部１１３から及び他方の第３凹部１１３からボディ１００外に露出している。
【０１０６】
第２非露出部Ｇ２７は、図３Ｂ及び図４Ｂに示されるように、端子Ｇ２の第２部のＸ方向側の領域を有する部分である。換言すると、第２非露出部Ｇ２７は、端子Ｇ２の第２部の第２露出部Ｇ２５のＸ方向側の部分である。第２非露出部Ｇ２７は、図２Ｂに最も良く示されるように、ボディ１００内に保持されている。すなわち、第２非露出部Ｇ２７は、第２非露出部Ｇ２７とボディ１００との間に隙間なく、ボディ１００に覆われている。
【０１０７】
端子Ｓ１ａ、Ｓ１ｂは、Ｙ−Ｙ’方向に延びており且つ端子Ｓ２ａ、Ｓ２ｂよりもＸ’方向側で互いに隣り合う差動信号端子である。端子Ｓ１ａがＸ’方向側に位置し、端子Ｓ１ｂがＸ方向側に位置している。この端子Ｓ１ａ、Ｓ１ｂは、特許請求の範囲の残りの第４端子に相当する。
【０１０８】
端子Ｓ１ｂは、接点部Ｓ１ｂ１と、接続部Ｓ１ｂ２と、中間部Ｓ１ｂ３と、第１露出部Ｓ１ｂ４を有している。接点部Ｓ１ｂ１は、接点部Ｓ３ｂ１と同様の構成であって、端子Ｇ２の接点部Ｇ２１のＸ’方向側に間隔をあけて配置されている。接続部Ｓ１ｂ２は、接続部Ｓ３ｂ２と同様の構成であって、接点部Ｓ１ｂ１のＸ方向及びＹ’方向の成分を含む方向（斜め後方に）側に位置するように、端子Ｇ２の接続部Ｇ２２のＸ’方向側に間隔をあけて配置されている。接続部Ｓ１ｂ２は、接点部Ｓ１ｂ１と同じ高さ位置に位置している。
【０１０９】
中間部Ｓ１ｂ３は、接点部Ｓ１ｂ１と接続部Ｓ１ｂ２の前部との間に設けられ、接点部Ｓ１ｂ１と接続部Ｓ１ｂ２とを繋いでおり且つボディ１００内に保持されている。すなわち、中間部Ｓ１ｂ３は、中間部Ｓ１ｂ３とボディ１００との間に隙間なく、ボディ１００に覆われている。中間部Ｓ１ｂ３は、接点部Ｓ１ｂ１から接続部Ｓ１ｂ２へＸ方向及びＹ’方向の成分を含む斜め方向に延びている（傾斜している）。中間部Ｓ１ｂ３は、端子Ｇ２の中間部Ｇ２３のＸ’方向側に間隔をあけて配置されている。中間部Ｓ１ｂ３の接点部Ｓ１ｂ１に対する傾斜角は、中間部Ｓ２ａ３、Ｓ２ｂ３の接点部Ｓ２ａ１、Ｓ２ｂ１に対する傾斜角よりも小さい。換言すると、中間部Ｓ２ａ３、Ｓ２ｂ３が、中間部Ｓ１ｂ３よりもＸ方向に傾斜している。
【０１１０】
第１露出部Ｓ１ｂ４は、図３Ｂ及び図４Ｂに示されるように、端子Ｓ１ｂのＹ−Ｙ’方向の一部（第１部）であって、当該第１部のＸ−Ｘ’方向の全領域を有している。第１露出部Ｓ１ｂ４は、第２露出部Ｇ２５のＸ’方向側に間隔をあけて配置されている。第１露出部Ｓ１ｂ４は、図２Ｂに最も良く示されるように、ボディ１００の一方の第３凹部１１３及び他方の第３凹部１１３からボディ１００外に露出している。
【０１１１】
端子Ｓ１ａは、接点部Ｓ１ａ１と、接続部Ｓ１ａ２と、中間部Ｓ１ａ３と、第１露出部Ｓ１ａ４を有している。接点部Ｓ１ａ１は、接点部Ｓ３ａ１と同様の構成であって、接点部Ｓ１ｂ１のＸ’方向側に間隔をあけて配置されている。接続部Ｓ１ａ２は、接続部Ｓ３ｂ２と同様の構成であって、接点部Ｓ１ａ１のＸ方向及びＹ’方向の成分を含む斜め方向側に位置するように、接続部Ｓ１ｂ２のＸ方向側に間隔をあけて配置されている。接続部Ｓ１ａ２は、接点部Ｓ１ａ１と同じ高さ位置に位置している。
【０１１２】
中間部Ｓ１ａ３は、接点部Ｓ１ａ１と接続部Ｓ１ａ２の前部との間に設けられ、接点部Ｓ１ａ１と接続部Ｓ１ａ２とを繋いでおり且つボディ１００内に保持されている。すなわち、中間部Ｓ１ａ３は、中間部Ｓ１ａ３とボディ１００との間に隙間なく、ボディ１００に覆われている。中間部Ｓ１ａ３は、接点部Ｓ１ａ１から接続部Ｓ１ａ２へＸ方向及びＹ’方向の成分を含む斜め方向に延びている（傾斜している）。中間部Ｓ１ａ３は中間部Ｓ１ｂ３のＸ’方向側に間隔をあけて配置されている。中間部Ｓ１ａ３の接点部Ｓ１ａ１に対する傾斜角は、中間部Ｓ１ｂ３の接点部Ｓ１ｂ１に対する傾斜角と同じである。
【０１１３】
第１露出部Ｓ１ａ４は、図３Ｂ及び図４Ｂに示されるように、端子Ｓ１ａのＹ−Ｙ’方向の一部（第１部）であって、当該第１部のＸ−Ｘ’方向の全領域を有している。第１露出部Ｓ１ａ４は、第１露出部Ｓ１ｂ４のＸ’方向側に間隔をあけて配置されている。第１露出部Ｓ１ａ４は、図２Ｂに最も良く示されるように、ボディ１００の一方の第３凹部１１３及び他方の第３凹部１１３からボディ１００外に露出している。
【０１１４】
端子Ｇ１は、Ｙ−Ｙ’方向に延びており且つ端子Ｓ１ａのＸ’方向側に配置されたグランド端子又は低速信号端子である。この低速信号端子は、端子Ｓ１ｂ、Ｓ１ａよりも低速の信号を伝送可能な端子である。例えば、低速信号端子として、端子Ｓ１ｂ、Ｓ１ａに伝送される信号の周波数の１／１０以下又は１／１００以下の周波数の信号を伝送可能なシングルエンド信号端子、電源端子又は機能端子等を用いることが可能である。なお、端子Ｇ１は、特許請求の範囲の残りの第４端子に相当する。
【０１１５】
端子Ｇ１は、接点部Ｇ１１と、接続部Ｇ１２と、中間部Ｇ１３と、第１露出部Ｇ１４とを有している。接点部Ｇ１１は、接点部Ｇ３ｂ１と同様の構成であって、端子Ｓ１ａの接点部Ｓ１ａ１のＸ’方向側に間隔をあけて配置されている。接続部Ｇ１２は、接続部Ｇ３ｂ２と同様の構成であって、端子Ｓ１ａの接続部Ｓ１ａ２のＸ’方向側に間隔をあけて配置されている。接続部Ｇ１２は、接点部Ｇ１１のＹ’方向側に位置している。接続部Ｇ１２は、接点部Ｇ１１と同じ高さ位置に位置している。
【０１１６】
中間部Ｇ１３は、接点部Ｇ１１と接続部Ｇ１２の前部との間に設けられ、接点部Ｇ１１と接続部Ｇ１２とを繋いでおり且つボディ１００内に保持されている。すなわち、中間部Ｇ１３は、中間部Ｇ１３とボディ１００との間に隙間なく、ボディ１００に覆われている。中間部Ｇ１３は、接点部Ｇ１１から接続部Ｇ１２へＹ’方向に延びている。中間部Ｇ１３は、端子Ｓ１ａの中間部Ｓ１ａ３のＸ’方向側に間隔をあけて配置されている。
【０１１７】
第１露出部Ｇ１４は、図３Ｂ及び図４Ｂに示されるように、端子Ｇ１のＹ−Ｙ’方向の一部（第１部）の全領域を有する部分である。第１露出部Ｇ１４は、端子Ｓ１ａの第１露出部Ｓ１ａ４のＸ’方向側に間隔をあけて配置されている。第１露出部Ｇ１４は、図２Ｂに最も良く示されるように、ボディ１００の一方の第３凹部１１３及び他方の第３凹部１１３からボディ１００外に露出している。
【０１１８】
以下、コネクタＣを製造するために使用される第１、第２金型１０ａ、１０ｂについて図５Ａ〜図５Ｂを参照しつつ説明する。第１金型１０ａは、凹部１１ａと、第１突部１２ａと、第２突部１３ａと、第３突部１４ａとを有している。第２金型１０ｂは、凹部１１ｂと、第１突部１２ｂと、第２突部１３ｂと、第３突部１４ｂとを有している。
【０１１９】
第１金型１０ａの凹部１１ａは、図５Ａ〜図５Ｂに示すように、ボディ１００のＺ方向側の略半分の形状に対応している。第２金型１０ｂの凹部１１ｂは、ボディ１００のＺ’方向側の残り略半分の形状に対応している。
【０１２０】
第１金型１０ａの第１突部１２ａは、図５Ａに示すように、凹部１１ａの天面の中央部上に設けられている。第１突部１２ａはＸ−Ｘ’方向に延びており且つボディ１００の一方の第１凹部１１１の形に対応した外形を有している。第２金型１０ｂの第１突部１２ｂは、凹部１１ｂの底面の中央部上に設けられている。第１突部１２ｂはＸ−Ｘ’方向に延びており且つボディ１００の他方の第１凹部１１１の形に対応した外形を有している。
【０１２１】
第１金型１０ａの第２突部１３ａは、図５Ｂに示すように、凹部１１ａの天面の第１突部１２ａよりもＸ方向及びＹ方向の成分を含む斜め方向側の部分上に設けられている。第２突部１３ａはＸ−Ｘ’方向に延びており且つボディ１００の一方の第２凹部１１２の形に対応した外形を有している。第１突部１２ａと第２突部１３ａとの間には、ボディ１００の一方の第１分断部１２１の形状に対応した間隙（流路）が生じている。第２金型１０ｂの第２突部１３ｂは、凹部１１ｂの底面の第１突部１２ｂよりもＸ方向及びＹ方向の成分を含む斜め方向側の部分上に設けられている。第２突部１３ｂはＸ−Ｘ’方向に延びており且つボディ１００の他方の第２凹部１１２の形に対応した外形を有している。第１突部１２ｂと第２突部１３ｂとの間には、ボディ１００の他方の第１分断部１２１の形状に対応した間隙（流路）が生じている。
【０１２２】
第１金型１０ａの第３突部１４ａは、図５Ｂに示すように、凹部１１ａの天面の第１突部１２ａよりもＸ’方向及びＹ方向の成分を含む斜め方向側の部分上に設けられている。第３突部１４ａは、第２突部１３ａのＸ’方向側に間隔をあけて配置されている。第３突部１４ａはＸ−Ｘ’方向に延びており且つボディ１００の一方の第３凹部１１３の形に対応した外形を有している。第１突部１２ａと第３突部１４ａとの間には、ボディ１００の一方の第２分断部１２２の形状に対応した間隙（流路）が生じている。第２金型１０ｂの第３突部１４ｂは、凹部１１ｂの底面の第１突部１２ｂよりもＸ’方向及びＹ方向の成分を含む斜め方向側の部分上に設けられている。第３突部１４ｂは、第２突部１３ｂのＸ’方向側に間隔をあけて配置されている。第３突部１４ｂはＸ−Ｘ’方向に延びており且つボディ１００の他方の第３凹部１１３の形に対応した外形を有している。第１突部１２ｂと第３突部１４ｂとの間には、ボディ１００の他方の第２分断部１２２の形状に対応した間隙（流路）が生じている。
【０１２３】
なお、第１、第２金型１０ａ、１０ｂのキャビティＥは、凹部１１ａ、１１ｂ、第１突部１２ａ、１２ｂ、第２突部１３ａ、１３ｂ、第３突部１４ａ、１４ｂによって区画されている。キャビティＥは、上記間隙を含む。
【０１２４】
以下、上記第１、第２金型１０ａ、１０ｂを用いてコネクタＣの製造方法について図５Ａ〜図５Ｂを参照しつつ説明する。まず、端子群２００の端子を用意する。この端子を、Ｇ１、Ｓ１ａ、Ｓ１ｂ、Ｇ２、Ｓ２ａ、Ｓ２ｂ、Ｇ３ａ、Ｇ３ｂ、Ｓ３ａ、Ｓ３ｂ、Ｇ４、Ｓ４ａ、Ｓ４ｂ、Ｇ５の順で、第２金型１０ｂにＸ−Ｘ’方向に間隔をあけて配置する。
【０１２５】
その後、第１、第２金型１０ａ、１０ｂを型締めする。これにより、端子Ｇ１、Ｓ１ａ、Ｓ１ｂ、Ｇ２、Ｓ２ａ、Ｓ２ｂ、Ｇ３ａ、Ｇ３ｂ、Ｓ３ａ、Ｓ３ｂ、Ｇ４、Ｓ４ａ、Ｓ４ｂ、Ｇ５が第１、第２金型１０ａ、１０ｂのキャビティＥ内に部分的に収容される。
【０１２６】
この型締め時において、図５Ａに示すように、第１金型１０ａの第１突部１２ａが、端子Ｇ２の第１露出部Ｇ２４、端子Ｓ２ａの第１露出部Ｓ２ａ４、端子Ｓ２ｂの第１露出部Ｓ２ｂ４、端子Ｇ３ａの第１露出部Ｇ３ａ４、端子Ｇ３ｂの第１露出部Ｇ３ｂ４、端子Ｓ３ａの第１露出部Ｓ３ａ４、端子Ｓ３ｂの第１露出部Ｓ３ｂ４及び端子Ｇ４の第１露出部Ｇ４４にＺ方向側から当接する。第２金型１０ｂの第１突部１２ｂが、端子Ｇ２の第１露出部Ｇ２４、端子Ｓ２ａの第１露出部Ｓ２ａ４、端子Ｓ２ｂの第１露出部Ｓ２ｂ４、端子Ｇ３ａの第１露出部Ｇ３ａ４、端子Ｇ３ｂの第１露出部Ｇ３ｂ４、端子Ｓ３ａの第１露出部Ｓ３ａ４、端子Ｓ３ｂの第１露出部Ｓ３ｂ４及び端子Ｇ４の第１露出部Ｇ４４にＺ’方向側から当接する。図５Ｂに示すように、第１金型１０ａの第２突部１３ａが、端子Ｇ４の第２露出部Ｇ４５、端子Ｓ４ａの第１露出部Ｓ４ａ４、端子Ｓ４ｂの第１露出部Ｓ４ｂ４及び端子Ｇ５の第１露出部Ｇ５４にＺ方向側から当接し、第２金型１０ｂの第２突部１３ｂが、端子Ｇ４の第２露出部Ｇ４５、端子Ｓ４ａの第１露出部Ｓ４ａ４、端子Ｓ４ｂの第１露出部Ｓ４ｂ４及び端子Ｇ５の第１露出部Ｇ５４にＺ’方向側から当接する。第１金型１０ａの第３突部１４ａが、端子Ｇ１の第１露出部Ｇ１４、端子Ｓ１ａの第１露出部Ｓ１ａ４、端子Ｓ１ｂの第１露出部Ｓ１ｂ４及び端子Ｇ２の第２露出部Ｇ２５にＺ方向側から当接し、第２金型１０ｂの第３突部１４ｂが、端子Ｇ１の第１露出部Ｇ１４、端子Ｓ１ａの第１露出部Ｓ１ａ４、端子Ｓ１ｂの第１露出部Ｓ１ｂ４及び端子Ｇ２の第２露出部Ｇ２５にＺ’方向側から当接する。
【０１２７】
これと共に、端子Ｇ１の接続部Ｇ１２の前部及び中間部Ｇ１３の第１露出部Ｇ１４以外の部分、端子Ｓ１ａの接続部Ｓ１ａ２の前部及び中間部Ｓ１ａ３の第１露出部Ｓ１ａ４以外の部分、端子Ｓ１ｂの接続部Ｓ１ｂ２の前部及び中間部Ｓ１ｂ３の第１露出部Ｓ１ｂ４以外の部分、端子Ｇ２の接続部Ｇ２２の前部及び中間部Ｇ２３の第１、第２露出部Ｇ２４、２５以外の部分（第１、第２非露出部Ｇ２６、２７を含む。）、端子Ｓ２ａの接続部Ｓ２ａ２の前部及び中間部Ｓ２ａ３の第１露出部Ｓ２ａ４以外の部分、端子Ｓ２ｂの接続部Ｓ２ｂ２の前部及び中間部Ｓ２ｂ３の第１露出部Ｓ２ｂ４以外の部分、端子Ｇ３ａの接続部Ｇ３ａ２の前部及び中間部Ｇ３ａ３の第１露出部Ｇ３ａ４以外の部分、端子Ｇ３ｂの接続部Ｇ３ｂ２の前部及び中間部Ｇ３ｂ３の第１露出部Ｇ３ｂ４以外の部分、端子Ｓ３ａの接続部Ｓ３ａ２の前部及び中間部Ｓ３ａ３の第１露出部Ｓ３ａ４以外の部分、端子Ｓ３ｂの接続部Ｓ３ｂ２の前部及び中間部Ｓ３ｂ３の第１露出部Ｓ３ｂ４以外の部分、端子Ｇ４の接続部Ｇ４２の前部及び中間部Ｇ４３の第１、第２露出部Ｇ４４、４５以外の部分（第１、第２非露出部Ｇ４６、４７を含む。）、端子Ｓ４ａの接続部Ｓ４ａ２の前部及び中間部Ｓ４ａ３の第１露出部Ｓ４ａ４以外の部分、端子Ｓ４ｂの接続部Ｓ４ｂ２の前部及び中間部Ｓ４ｂ３の第１露出部Ｓ４ｂ４以外の部分及び端子Ｇ５の接続部Ｇ５２の前部及び中間部Ｇ５３の第１露出部Ｇ５４以外の部分（第１非露出部Ｇ５５を含む。）が、キャビティＥ内に中空配置される。以下、各端子のキャビティＥ内に配置される部分をインサート部とも称する。
【０１２８】
その後、第１、第２金型１０ａ、１０ｂのキャビティＥ内に絶縁性を有する樹脂Ｒを射出する。すると、この樹脂Ｒの複数の一部が、第１突部１２ａと第２突部１３ａとの間の間隙、第１突部１２ｂと第２突部１３ｂとの間の間隙、及び第１突部１２ａと第３突部１４ａとの間の間隙内に各々流入する。このようにして樹脂ＲがキャビティＥ内に充填される。このとき、端子Ｇ１、Ｓ１ａ、Ｓ１ｂ、Ｇ２、Ｓ２ａ、Ｓ２ｂ、Ｇ３ａ、Ｇ３ｂ、Ｓ３ａ、Ｓ３ｂ、Ｇ４、Ｓ４ａ、Ｓ４ｂ、Ｇ５のインサート部が樹脂Ｒ内にインサートされる。端子Ｇ１、Ｓ１ａ、Ｓ１ｂ、Ｇ２、Ｓ２ａ、Ｓ２ｂ、Ｇ３ａ、Ｇ３ｂ、Ｓ３ａ、Ｓ３ｂ、Ｇ４、Ｓ４ａ、Ｓ４ｂ、Ｇ５のインサート部が樹脂Ｒに、当該インサート部と樹脂Ｒとの間に隙間が生じないように覆われる。端子Ｇ１、Ｓ１ａ、Ｓ１ｂ、Ｇ２、Ｓ２ａ、Ｓ２ｂ、Ｇ３ａ、Ｇ３ｂ、Ｓ３ａ、Ｓ３ｂ、Ｇ４、Ｓ４ａ、Ｓ４ｂ、Ｇ５の接点部が樹脂ＲからＹ方向に突出する。端子Ｇ１、Ｓ１ａ、Ｓ１ｂ、Ｇ２、Ｓ２ａ、Ｓ２ｂ、Ｇ３ａ、Ｇ３ｂ、Ｓ３ａ、Ｓ３ｂ、Ｇ４、Ｓ４ａ、Ｓ４ｂ、Ｇ５の接続部の後部が樹脂ＲからＹ’方向に突出する。
【０１２９】
その後、キャビティＥ内の樹脂Ｒを硬化させる。硬化した樹脂Ｒがボディ１００となる。このとき、第１突部１２ａ、１２ｂの外形に応じて、ボディ１００の一対の第１凹部１１１が成形され、第２突部１３ａ、１３ｂの外形に応じて一対の第２凹部１１２が成形され、且つ第３突部１４ａ、１４ｂの外形に応じて一対の第３凹部１１３が成形される。硬化した樹脂Ｒのうち第１突部１２ａと第２突部１３ａとの間の間隙内に充填された部分が一方の第１分断部１２１となり、第１突部１２ｂと第２突部１３ｂとの間の間隙内に充填された部分が他方の第１分断部１２１となる。硬化した樹脂Ｒのうち第１突部１２ａと第３突部１４ａとの間の間隙内に充填された部分が一方の第２分断部１２２となり、第１突部１２ｂと第３突部１４ｂとの間の間隙内に充填された部分が他方の第２分断部１２２となる。端子Ｇ１、Ｓ１ａ、Ｓ１ｂ、Ｇ２、Ｓ２ａ、Ｓ２ｂ、Ｇ３ａ、Ｇ３ｂ、Ｓ３ａ、Ｓ３ｂ、Ｇ４、Ｓ４ａ、Ｓ４ｂ、Ｇ５のインサート部がボディ１００にＸ−Ｘ’方向に間隔をあけて保持される（インサート成形される）。
【０１３０】
その後、第１、第２金型１０ａ、１０ｂを離型させる。すると、第１、第２金型１０ａ、１０ｂの第１突部１２ａ、１２ｂ、第２突部１３ａ、１３ｂ及び第３突部１４ａ、１４ｂが、ボディ１００の一対の第１凹部１１１、一対の第２凹部１１２、一対の第３凹部１１３から各々取り外される。これにより、端子Ｇ２の第１露出部Ｇ２４、端子Ｓ２ａの第１露出部Ｓ２ａ４、端子Ｓ２ｂの第１露出部Ｓ２ｂ４、端子Ｇ３ａの第１露出部Ｇ３ａ４、端子Ｇ３ｂの第１露出部Ｇ３ｂ４、端子Ｓ３ａの第１露出部Ｓ３ａ４、端子Ｓ３ｂの第１露出部Ｓ３ｂ４及び端子Ｇ４の第１露出部Ｇ４４がボディ１００の第１凹部１１１からＺ−Ｚ’方向に露出する。端子Ｇ４の第２露出部Ｇ４５、端子Ｓ４ａの第１露出部Ｓ４ａ４、端子Ｓ４ｂの第１露出部Ｓ４ｂ４及び端子Ｇ５の第１露出部Ｇ５４がボディ１００の第２凹部１１２からＺ−Ｚ’方向に露出する。端子Ｇ１の第１露出部Ｇ１４、端子Ｓ１ａの第１露出部Ｓ１ａ４、端子Ｓ１ｂの第１露出部Ｓ１ｂ４及び端子Ｇ２の第２露出部Ｇ２５がボディ１００の第３凹部１１３からＺ−Ｚ’方向に露出する。以上の通り、ボディ１００に端子群２００の端子がインサート成形される。
【０１３１】
その後、ケースを用意する。その後、ボディ１００及び端子群２００の端子をケースに収容させる。このようにしてコネクタＣが製造される。
【０１３２】
上記したコネクタＣの上記接続孔内に相手方コネクタが挿入されると、コネクタＣの上記端子の接点部に相手方コネクタの接点部が接触する。このようにして相手方コネクタがコネクタＣに接続される。コネクタＣの端子の接続部は、基板や別のコネクタの端子に接触する。これにより、コネクタＣが基板や別のコネクタに接続される。
【０１３３】
以上のようなコネクタＣ及びその製造方法は、以下の技術的特徴を有する。第１に、端子群２００の端子をボディ１００にインサート成形するときに、第１、第２金型１０ａ、１０ｂのキャビティＥ内に射出される樹脂Ｒの流動性の向上を図ることができる。その理由は以下の通りである。コネクタＣのボディ１００を成形するための第１金型１０ａの第１突部１２ａと第２突部１３ａとの間の間隙、第１突部１２ａと第３突部１４ａとの間の間隙が樹脂Ｒの流路となっている。しかも、第１突部１２ａ、１２ｂが、端子Ｇ２の第１露出部Ｇ２４及び端子Ｇ４の第１露出部Ｇ４４に当接するものの、端子Ｇ２の第１非露出部Ｇ２６及び端子Ｇ４の第１非露出部Ｇ４６に当接しない。よって、第１突部１２ａ、１２ｂが、第１露出部Ｇ２４及び第１非露出部Ｇ２６、第１露出部Ｇ４４及び第１非露出部Ｇ４６に当接する場合（第１突部１２ａ、１２ｂが端子Ｇ２及び端子Ｇ４の第１部のＸ−Ｘ’方向の全領域に当接する場合）に比べて、第１突部１２ａ、１２ｂのＸ−Ｘ’方向の寸法の低減を図ることができる。第２突部１３ａ、１３ｂが、端子Ｇ４の第２露出部Ｇ４５に当接するものの、端子Ｇ４の第２非露出部Ｇ４７に当接しない。よって、第２突部１３ａ、１３ｂが、第２露出部Ｇ４５及び第２非露出部Ｇ４７に当接する場合（第２突部１３ａ、１３ｂが端子Ｇ４の第２部のＸ−Ｘ’方向の全領域に当接する場合）に比べて、第２突部１３ａ、１３ｂのＸ−Ｘ’方向の寸法の低減を図ることができる。第３突部１４ａ、１４ｂが、端子Ｇ２の第２露出部Ｇ２５に当接するものの、端子Ｇ２の第２非露出部Ｇ２７に当接しない。よって、第３突部１４ａ、１４ｂが、第２露出部Ｇ２５及び第２非露出部Ｇ２７に当接する場合（第３突部１４ａ、１４ｂが端子Ｇ１の第２部のＸ−Ｘ’方向の全領域に当接する場合）に比べて、第３突部１４ａ、１４ｂのＸ−Ｘ’方向の寸法の低減を図ることができる。よって、第１突部１２ａと第２突部１３ａとの間の間隙及び第１突部１２ａと第３突部１４ａとの間の間隙が大きくなるので、当該間隙内を樹脂Ｒが流通し易くなる。更に、第２突部１３ａ、１３ｂが、第１突部１２ａ、１２ｂのＸ方向及びＹ方向の成分を含む斜め方向側に配置され、第３突部１４ａ、１４ｂが、第１突部１２ａ、１２ｂのＸ’方向及びＹ方向の成分を含む斜め方向側に配置されている。このように複数の突部が位置ずれするように配置されているので、突部間の間隙内を樹脂Ｒが流通し易くなる。
【０１３４】
第２に、端子群２００の端子が樹脂Ｒの樹脂流動によって位置ずれする可能性を低減することができる。第１、第２金型１０ａ、１０ｂのキャビティＥ内に収容された端子群２００の端子が、上記の通り、第１金型１０ａの第１突部１２ａ、第２突部１３ａ及び第３突部１４ａの少なくとも一つにＺ方向側から当接され、第２金型１０ｂの第１突部１２ｂ、第２突部１３ｂ及び第３突部１４ｂの少なくとも一つにＺ’方向側から当接されるためである。
【０１３５】
第３に、端子Ｓ３ａから発生する電磁波と、端子Ｓ３ｂから発生する電磁波との均一化を図ることができ、その結果、端子Ｓ３ａ、Ｓ３ｂのインピーダンス整合を図ることができる。端子Ｓ２ａから発生する電磁波と、端子Ｓ２ｂから発生する電磁波との均一化を図ることができ、その結果、端子Ｓ２ａ、Ｓ２ｂのインピーダンス整合を図ることができる。これは次の構成により実現される。端子Ｇ４の第１露出部Ｇ４４、端子Ｓ３ｂの第１露出部Ｓ３ｂ４、端子Ｓ３ａの第１露出部Ｓ３ａ４、端子Ｇ３ｂの第１露出部Ｇ３ｂ４、端子Ｇ３ａの第１露出部Ｇ３ａ４、端子Ｓ２ｂの第１露出部Ｓ２ｂ４、端子Ｓ２ａの第１露出部Ｓ２ａ４及び端子Ｇ２の第１露出部Ｇ２４、この順でボディ１００の第１凹部１１１から露出している。よって、端子Ｓ３ｂの第１露出部Ｓ３ｂ４から発生する電磁波が、端子Ｇ４の第１露出部Ｇ４４に吸収され、端子Ｓ３ａの第１露出部Ｓ３ａ４から発生する電磁波が、端子Ｇ３ａの第１露出部Ｇ３ａ４に吸収される。端子Ｓ２ｂの第１露出部Ｓ２ｂ４から発生する電磁波が、端子Ｇ３ｂの第１露出部Ｇ３ｂ４に吸収され、端子Ｓ２ａの第１露出部Ｓ２ａ４から発生する電磁波が、端子Ｇ２の第１露出部Ｇ２４に吸収される。
【０１３６】
第４に、端子Ｓ４ａから発生する電磁波と、端子Ｓ４ｂから発生する電磁波との均一化を図ることができ、その結果、端子Ｓ４ａ、Ｓ４ｂのインピーダンス整合を図ることができる。端子Ｇ５の第１露出部Ｇ５４、端子Ｓ４ｂの第１露出部Ｓ４ｂ４、端子Ｓ４ａの第１露出部Ｓ４ａ４及び端子Ｇ４の第２露出部Ｇ４５が、この順でボディ１００の第２凹部１１２から露出している。よって、端子Ｓ４ｂの第１露出部Ｓ４ｂ４から発生する電磁波が端子Ｇ５の第１露出部Ｇ５４によって吸収され、端子Ｓ４ａの第１露出部Ｓ４ａ４から発生する電磁波が端子Ｇ４の第２露出部Ｇ４５によって吸収される。
【０１３７】
第５に、端子Ｓ１ａから発生する電磁波と、端子Ｓ１ｂから発生する電磁波との均一化を図ることができ、その結果、端子Ｓ１ａ、Ｓ１ｂのインピーダンス整合を図ることができる。端子Ｇ２の第２露出部Ｇ２５、端子Ｓ１ｂの第１露出部Ｓ１ｂ４、端子Ｓ１ａの第１露出部Ｓ１ａ４及び端子Ｇ１の第１露出部Ｇ１４が、この順でボディ１００の第３凹部１１３から露出している。よって、端子Ｓ１ｂの第１露出部Ｓ１ｂ４から発生する電磁波が端子Ｇ２の第１露出部Ｇ２４によって吸収され、端子Ｓ１ａの第１露出部Ｓ１ａ４から発生する電磁波が端子Ｇ１の第１露出部Ｇ１４によって吸収される。
【０１３８】
なお、上記したコネクタ及びコネクタの製造方法は、上記実施例に限定されるものではなく、特許請求の範囲の記載範囲において任意に設計変更することが可能である。以下、詳しく述べる。
【０１３９】
本発明のボディは、絶縁樹脂であって、上記実施例又は後述する設計変更例の第１凹部、第２凹部及び第１分断部を有している限り任意に設計変更することが可能である。
【０１４０】
本発明の第１凹部は、Ｘ−Ｘ’方向の成分を含む方向に延びている限り任意に設計変更することが可能である。本発明の第２凹部は、Ｘ−Ｘ’方向の成分を含む方向に延びている限り任意に設計変更することが可能である。例えば、ボディの第１、第２凹部は、Ｘ−Ｘ’方向及びＹ−Ｙ’方向を含む斜め方向に斜めに延びていても良いし、Ｘ−Ｘ’方向及びＺ−Ｚ’方向を含む方向に斜めに延びていても良い。また、ボディの第１、第２凹部は、Ｘ−Ｘ’方向の成分を含む方向に延びた円弧状、Ｖ字状又はジグザグ状とすることも可能である。更に、ボディの第１、第２凹部は、当該ボディの任意の箇所に設けることが可能である。より具体的には、ボディの第１、第２凹部は、Ｘ−Ｘ’方向又はＹ−Ｙ’方向に並んでいても良い。また、ボディの第２凹部は、当該ボディの第１凹部のＸ−Ｘ’方向及びＹ−Ｙ’方向を含む斜め方向に設けられていても良い。Ｚ方向側の第１、第２凹部と、Ｚ’方向側の第１、第２凹部との形状が互いに相違していても良い。上記した何れかの態様のボディの第１、第２凹部は、当該ボディの上記実施例又は後述する端子群の端子よりもＺ方向側の部分及びＺ’方向側の部分の何れか一方に設けられた構成とすることが可能である。
【０１４１】
本発明のボディの第３凹部は省略可能である。本発明のボディの第３凹部は、Ｘ−Ｘ’方向の成分を含む方向に延びている限り任意に設計変更することが可能である。本発明のボディの第３凹部は、上記第１、第２凹部と同様の形状に設計変更することが可能である。また、本発明の第３凹部は、ボディの任意の箇所に設けることが可能である。例えば、ボディの第３凹部は、上記第１又は第２凹部に対してＸ−Ｘ’方向又はＹ−Ｙ’方向に並んでいても良い。また、ボディの第３凹部は、当該ボディの第１又は第２凹部のＸ−Ｘ’方向及びＹ−Ｙ’方向（第１凹部よりも第２方向の一方側又は他方側）を含む斜め方向に設けられていても良い。Ｚ方向側の第３凹部と、Ｚ’方向側の第３凹部との形状が互いに相違していても良い。上記した何れかの態様のボディの第３凹部は、当該ボディの上記実施例又は後述する端子群の端子よりもＺ方向側の部分及びＺ’方向側の部分の何れか一方に設けられた構成とすることが可能である。
【０１４２】
本発明のボディの第１分断部は、当該ボディを構成する絶縁樹脂の一部の樹脂であって、上記した何れかの態様の第１凹部と上記した何れかの態様の第２凹部との間に位置している限り任意に設計変更することが可能である。すなわち、本発明のボディの第１分断部は、少なくとも一つあれば良い。本発明のボディの第２分断部は省略可能である。本発明のボディの第２分断部は、当該ボディを構成する絶縁樹脂の一部の樹脂であって、上記した何れかの態様の第１凹部と上記した何れかの態様の第３凹部との間に位置している限り任意に設計変更することが可能である。本発明のボディの第２分断部も、少なくとも一つあれば良い。
【０１４３】
本発明の端子群は、上記した何れかの態様のボディ内に少なくとも部分的に保持されており且つＸ−Ｘ’方向に間隔をあけて配置された一対の第１端子、第２端子、第３端子及び第４端子を含む限り任意に設計変更することが可能である。一対の第１端子、第２端子、第３端子及び第４端子は、その一部又は全部が異なる高さ位置に配置されていても良い。
【０１４４】
本発明の一対の第１端子は、Ｘ−Ｘ’方向に交差する方向（長手方向）の成分を含む方向に延びており且つ互いに隣り合う差動信号端子であって、第１露出部を有している限り任意に設計変更することが可能である。例えば、第１端子は、Ｘ−Ｘ’方向に交差する方向に直線状又は円弧状に延びた構成としても良いし、Ｘ−Ｘ’方向に交差する方向の成分を含む斜め方向に直線状又は円弧状に延びた構成としても良い。本発明の第１端子の第１露出部は、当該第１端子の長手方向の一部のＸ−Ｘ’方向の全領域を有し且つ上記した何れかの態様の第１凹部から上記した何れかの態様のボディ外に露出する限り任意に設計変更することが可能である。本発明の第１端子の第１露出部は、当該第１端子の接続部や接点部に設けることが可能である。
【０１４５】
本発明の第２端子は、長手方向の成分を含む方向に延びたグランド端子、又は長手方向の成分を含む方向に延びた第１端子よりも低速の信号を伝送可能な低速信号端子であって、当該第１端子のうちのＸ−Ｘ’方向の一方側の第１端子の隣に配置されており、且つ第１非露出部及び第１露出部を有している限り任意に設計変更することが可能である。例えば、第２端子は、Ｘ−Ｘ’方向に交差する方向に直線状又は円弧状に延びた構成としても良いし、Ｘ−Ｘ’方向に交差する方向の成分を含む斜め方向に直線状又は円弧状に延びた構成としても良い。本発明の第２端子の第１非露出部は、当該第２端子の長手方向の一部（第１部）のうちのＸ−Ｘ’方向の一方側の領域を有し且つ上記した何れかの態様のボディに覆われている限り任意に設計変更することが可能である。本発明の第２端子の第１露出部は、当該第２端子の第１部のＸ−Ｘ’方向の他方側の領域を有し且つ上記した何れかの態様の第１凹部から上記した何れかの態様のボディ外に露出している限り任意に設計変更することが可能である。本発明の第２端子の第１非露出部及び第１露出部は、第２端子の接続部や接点部に設けることが可能である。
【０１４６】
本発明の第２端子の第２露出部及び第２非露出部は、省略可能である。本発明の第２端子の第２露出部は、少なくとも当該第２端子の一部（第１部）よりも長手方向の一方側の部分（第２部）のうちのＸ−Ｘ’方向の一方側の領域を有し、且つ上記した何れかの態様の第２凹部からボディ外に露出している限り任意に設計変更することが可能である。例えば、本発明の第２端子の第２露出部は、当該第２端子の第２部のＸ−Ｘ’方向の全領域を有する構成とすることが可能である。この場合、第２端子の第２非露出部は省略される。本発明の第２端子の第２非露出部は、当該第２端子の一部（第１部）よりも長手方向の一方側の部分（第２部）のうちのＸ−Ｘ’方向の他方側の領域を有し、且つ上記した何れかの態様のボディに覆われている限り任意に設計変更することが可能である。
【０１４７】
本発明の第３端子は、長手方向の成分を含む方向に延びたグランド端子、又は長手方向の成分を含む方向に延びた第１端子よりも低速の信号を伝送可能な低速信号端子であって、当該第１端子のうちのＸ−Ｘ’方向の他方側の第１端子の隣に配置されており、且つ第１露出部を有している限り任意に設計変更することが可能である。例えば、第３端子は、Ｘ−Ｘ’方向に交差する方向に直線状又は円弧状に延びた構成としても良いし、Ｘ−Ｘ’方向に交差する方向の成分を含む斜め方向に直線状又は円弧状に延びた構成としても良い。本発明の第３端子の第１露出部は、当該第３端子の長手方向の一部のうちの少なくともＸ−Ｘ’方向の一方側の領域を有し且つ上記した何れかの態様の第１凹部から上記した何れかの態様のボディ外に露出している限り任意に設計変更することが可能である。第３端子の第１露出部は、第３端子の接続部や接点部に設けることが可能である。また、第３端子の第１露出部は、当該第３端子の一部のうちのＸ−Ｘ’方向の一方側の領域を有する場合、第３端子は、当該第３端子の長手方向の一部のうちのＸ−Ｘ’方向の他方側の領域を有し且つ上記した何れかの態様のボディに覆われる第１非露出部を更に有する構成とすることが可能である。
【０１４８】
本発明の第４端子は、少なくとも一つあれば良い。本発明の少なくとも一つの第４端子は、長手方向の成分を含む方向に延びており、上記した何れかの態様の第２端子のＸ−Ｘ’方向の一方側に配置されており且つ第１露出部を有している限り任意に設計変更することが可能である。第４端子は、Ｘ−Ｘ’方向に交差する方向に直線状又は円弧状に延びた構成としても良いし、Ｘ−Ｘ’方向に交差する方向の成分を含む斜め方向に直線状又は円弧状に延びた構成としても良い。第４端子は、信号端子、グランド端子、電源端子及び機能端子の何れであっても良い。本発明の第４端子の第１露出部は、当該第４端子の長手方向の一部のＸ−Ｘ’方向の全領域又は一部分の領域を有し且つ上記した何れかの態様の第２凹部又は第３凹部から上記ボディ外に露出している限り任意に設計変更することが可能である。第４端子の第１露出部は、第４端子の接続部や接点部に設けることが可能である。第１、第２凹部がＸ−Ｘ’方向において隣り合う場合、第４端子の第１露出部と、第２端子の第１露出部ともＸ−Ｘ’方向において隣り合う構成とすることが可能である。
【０１４９】
本発明の一対の第５端子、第６端子及び第７端子は省略可能である。本発明の第５端子は、長手方向の成分を含む方向に延びており且つ互いに隣り合う差動信号端子であって、第１露出部を有している限り任意に設計変更することが可能である。第５端子は、Ｘ−Ｘ’方向に交差する方向に直線状又は円弧状に延びた構成としても良いし、Ｘ−Ｘ’方向に交差する方向の成分を含む斜め方向に直線状又は円弧状に延びた構成としても良い。本発明の第５端子の第１露出部は、当該第１端子の長手方向の一部のＸ−Ｘ’方向の全領域を有し且つ上記した何れかの態様の第１凹部から上記した何れかの態様のボディ外に露出している限り任意に設計変更することが可能である。第５端子の第１露出部は、第５端子の接続部や接点部に設けることが可能である。
【０１５０】
本発明の第６端子は、長手方向の成分を含む方向に延びたグランド端子、又は長手方向の成分を含む方向に延びた第１端子及び第５端子よりも低速の信号を伝送可能な低速信号端子であって、第５端子のうちのＸ−Ｘ’方向の一方側の第５端子と第３端子との間に配置されており、且つ第１露出部を有している限り任意に設計変更することが可能である。第６端子は、Ｘ−Ｘ’方向に交差する方向に直線状又は円弧状に延びた構成としても良いし、Ｘ−Ｘ’方向に交差する方向の成分を含む斜め方向に直線状又は円弧状に延びた構成としても良い。本発明の第６端子の第１露出部は、当該第６端子の長手方向の一部のＸ−Ｘ’方向の一方側の全領域を有し且つ上記した何れかの態様の第１凹部から上記した何れかの態様のボディ外に露出している限り任意に設計変更することが可能である。第６端子の第１露出部は、第６端子の接続部や接点部に設けることが可能である。第６端子が省略される場合、上記何れかの態様の第３端子が、他方側の第１端子と一方側の第５端子との間に配置された構成とすると良い。この第３端子の第１露出部は、当該第３端子の一部のＸ−Ｘ’方向の全領域を有していると良い。
【０１５１】
本発明の第７端子は、長手方向の成分を含む方向に延びたグランド端子、又は長手方向の成分を含む方向に延びた第１端子よりも低速の信号を伝送可能な低速信号端子であって、第５端子のうちのＸ−Ｘ’方向の他方側の第１端子の隣に配置されており、且つ第１露出部及び第１非露出部を有している限り任意に設計変更することが可能である。第７端子は、Ｘ−Ｘ’方向に交差する方向に直線状又は円弧状に延びた構成としても良いし、Ｘ−Ｘ’方向に交差する方向の成分を含む斜め方向に直線状又は円弧状に延びた構成としても良い。本発明の第７端子の第１露出部は、当該第７端子の長手方向の一部（第１部）のうちのＸ−Ｘ’方向の一方側の領域を有し且つ第１凹部から当該ボディ外に露出している限り任意に設計変更することが可能である。本発明の第７端子の第１非露出部は、当該第７端子の第１部のＸ−Ｘ’方向の他方側の領域を有し且つ上記した何れかの態様のボディに覆われている限り任意に設計変更することが可能である。第７端子の第１露出部及び第１非露出部は、第７端子の接続部や接点部に設けることが可能である。
【０１５２】
本発明の第７端子の第２露出部及び第２非露出部は、省略可能である。本発明の第７端子の第２露出部は、少なくとも当該第７端子の一部（第１部）よりも長手方向の一方側の部分（第２部）のうちのＸ−Ｘ’方向の他方側の領域を有し、且つ上記した何れかの態様の第３凹部からボディ外に露出している限り任意に設計変更することが可能である。例えば、本発明の第７端子の第２露出部は、当該第７端子の第２部のＸ−Ｘ’方向の全領域を有する構成とすることが可能である。この場合、第７端子の第２非露出部は省略される。本発明の第７端子の第２非露出部は、当該第７端子の一部（第１部）よりも長手方向の一方側の部分（第２部）のうちのＸ−Ｘ’方向の一方側の領域を有し、且つ上記した何れかの態様のボディに覆われている限り任意に設計変更することが可能である。
【０１５３】
本発明の第１金型は、第１、第２突部と、第１、第２突部間の間隙を有する限り任意に設計変更することが可能である。本発明の第１金型の第１突部は、上記した何れかの態様の第２端子の長手方向の一部のＸ−Ｘ’方向の他方側の領域、上記した何れかの態様の第１端子の長手方向の一部のＸ−Ｘ’方向の全領域、及び上記した何れかの態様の第３端子の長手方向の一部のＸ−Ｘ’方向一方側の領域に当接し得る限り任意に設計変更することが可能である。第１金型の第１突部の外形及び／又は配置は、上記した何れかの態様のボディの第１凹部の形及び／又は位置に対応していていれば良い。本発明の第１金型の第２突部は、上記した何れかの態様の第４端子の長手方向の一部の全領域又は一部分の領域に当接し得る限り任意に設計変更することが可能である。すなわち、本発明の第１金型の第２突部は、第２端子に当接しない構成とすることが可能である。第１金型の第２突部の外形及び／又は配置は、上記した何れかの態様のボディの第２凹部の形及び／又は位置に対応していていれば良い。上記した何れかの態様の第１、第２突部は、第１金型に設けられた凹部、第１金型に設けられたフラット面又は第１金型に設けられた凸状の台部に設けることが可能である。上記した何れかの態様の第１金型は複数のパーツで構成されていても良い。
【０１５４】
本発明の第１金型の第３突部は省略可能である。本発明の第１金型の第３突部は、上記した何れかの態様の第４端子の長手方向の一部の全領域又は一部分の領域に当接し得る限り任意に設計変更することが可能である。すなわち、本発明の第１金型の第３突部は、第７端子に当接しない構成とすることが可能である。第１金型の第３突部の外形及び／又は配置は、上記した何れかの態様のボディの第３凹部の形及び／又は位置に対応していていれば良い。上記した何れかの態様の第３突部は、第１金型の凹部、フラット面又は台部に設けることが可能である。
【０１５５】
本発明の第２金型は、第１金型と共に型締め可能である限り任意に設計変更することが可能である。例えば、第２金型は、第１金型の凹部に連通可能な凹部、第１金型の凹部を閉塞するフラット面又は第１金型の凹部に挿入可能な凸状の台部を有する構成とすることが可能である。本発明の第２金型の第１、第２突部及び／又は第３突部は省略可能である。本発明の第２金型の第１、第２突部は、第１金型の第１、第２突部と同様に設計変更することが可能である。第２金型の第１、第２突部は、第２金型の凹部、フラット面又は台部に設けることが可能である。本発明の第２金型の第３突部は、第１金型の第３突部と同様に設計変更することが可能である。第２金型の第３突部は、第２金型の凹部、フラット面又は台部に設けることが可能である。上記した何れかの態様の第２金型は複数のパーツで構成されていても良い。
【０１５６】
本発明のコネクタの製造方法は、第１、第２金型の何れか一方に複数の端子をＸ−Ｘ’方向に間隔をあけて配置し、第１、第２金型を型締めして当該第１、第２金型のキャビティ内に端子を少なくとも部分的に収容させ、キャビティ内に樹脂を射出して当該樹脂内に端子を少なくとも部分的にインサートし、キャビティ内の樹脂を硬化させ、第１、第２金型から樹脂及び端子を取り出すようになっており、端子の配置は、端子のうちの一対の第１端子を隣り合うように配置し、当該端子のうちの第２端子を第１端子のうちのＸ−Ｘ’方向の一方側の第１端子の隣に配置し、当該端子のうちの第３端子を第１端子のうちのＸ−Ｘ’方向の他方側の第１端子の隣に配置し、且つ当該端子のうちの少なくとも一つの第４端子を第２端子の第１方向の一方側に配置することを含み、第１、第２金型の型締めは、当該第１金型の第１突部を、第２端子のＸ−Ｘ’方向に交差する当該第２端子の長手方向の一部のＸ−Ｘ’方向の他方側の領域、第１端子の長手方向の一部のＸ−Ｘ’方向の全領域、及び第３端子の長手方向の一部のＸ−Ｘ’方向の一方側の領域に当接させ、且つ当該第１金型の第２突部を、第４端子の長手方向の一部の全領域又は一部分の領域に当接させることを含み、樹脂の射出は、第１突部と第２突部との間の間隙内に樹脂を流入させることを含む限り任意に設計変更することが可能である。
【０１５７】
第１金型の第２突部の当接は、当該第２突部を、第２端子の一部（第１部）よりも長手方向の一方側の部分（第２部）のうちのＸ−Ｘ’方向の全領域に当接させるようにしても良い。
【０１５８】
上記の通り第２金型の第１突部、第２突部及び／第３突部が省略される場合、第１、第２金型の型締めは、上記した第１金型の第１、第２突部を当接させることと、第２金型を、第２端子、第１端子及び第３端子に、第１金型の反対側から少なくとも部分的にさせることとを含むと良い。
【０１５９】
上記の通り第６端子が省略される場合、端子の配置は、端子のうちの一対の第５端子を隣り合うように配置し、第３端子を一方側の第５端子と他方側の第１端子との間に配置し、且つ当該端子のうちの第７端子を第５端子のＸ−Ｘ’方向の他方側の第５端子の隣に配置することを含むと良い。この場合、第１金型の第１突部の当接は、第１金型の第１突部を、第２端子の長手方向の一部のＸ−Ｘ’方向の他方側の領域、第１端子の長手方向の一部のＸ−Ｘ’方向の全領域、第３端子の一部のＸ−Ｘ’方向の全領域、第５端子の一部のＸ−Ｘ’方向の全領域及び第７端子の長手方向の一部のＸ−Ｘ’方向の一方側の領域に当接させることを含むと良い。第２金型の第１突部の当接は、当該第２金型の第１突部を、第２端子の長手方向の一部のＸ−Ｘ’方向の他方側の領域、第１端子の長手方向の一部のＸ−Ｘ’方向の全領域、第３端子の一部のＸ−Ｘ’方向の全領域、第５端子の一部のＸ−Ｘ’方向の全領域及び第７端子の長手方向の一部のＸ−Ｘ’方向の一方側の領域に、第１金型の第１突部の反対側から当接させることを含むと良い。なお、第２金型の第１突部の当接は、省略しても良い。
【０１６０】
なお、上記実施例及び上記設計変形例におけるコネクタ及びコネクタの製造方法の各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。本発明の第１方向（Ｘ−Ｘ’方向）は、上記実施例又は上記設計変更例の端子が間隔をあけて配列される配列方向である限り任意に設定することが可能である。本発明の第２方向（上記Ｙ−Ｙ’方向又は上記長手方向）は、第１方向に交差している限り任意に設定することが可能である。本発明の第３方向（Ｚ−Ｚ’方向）は、第１方向及び第２方向に交差している限り任意に設定することが可能である。本発明の第１方向、第２方向、第３方向の何れか一方を各方向の一方、他方を各方向の他方にすれば良い。
【符号の説明】
【０１６１】
Ｃ・・・・・・・・コネクタ
１００・・・・・ボディ
１０１・・・・第１部
１０２・・・・第２部
１０３・・・・第３部
１１１・・・・第１凹部
１１２・・・・第２凹部
１１３・・・・第３凹部
１２１・・・・第１分断部
１２２・・・・第２分断部
２００・・・・・端子群
Ｓ１ａ、Ｓ１ｂ・端子（第４端子）
Ｓ１ａ１、Ｓ１ｂ１・接点部
Ｓ１ａ２、Ｓ１ｂ２・接続部
Ｓ１ａ３、Ｓ１ｂ３・中間部
Ｓ１ａ４、Ｓ１ｂ４・第１露出部
Ｓ２ａ、Ｓ２ｂ・端子（第５端子）
Ｓ２ａ１、Ｓ２ｂ１・接点部
Ｓ２ａ２、Ｓ２ｂ２・接続部
Ｓ２ａ３、Ｓ２ｂ３・中間部
Ｓ２ａ４、Ｓ２ｂ４・第１露出部
Ｓ３ａ、Ｓ３ｂ・端子（第１端子）
Ｓ３ａ１、Ｓ３ｂ１・接点部
Ｓ３ａ２、Ｓ３ｂ２・接続部
Ｓ３ａ３、Ｓ３ｂ３・中間部
Ｓ３ａ４、Ｓ３ｂ４・第１露出部
Ｓ４ａ、Ｓ４ｂ・端子（第４端子）
Ｓ４ａ１、Ｓ４ｂ１・接点部
Ｓ４ａ２、Ｓ４ｂ２・接続部
Ｓ４ａ３、Ｓ４ｂ３・中間部
Ｓ４ａ４、Ｓ４ｂ４・第１露出部
Ｇ１・・・・・・・・・端子（第４端子）
Ｇ１１・・・・・・・接点部
Ｇ１２・・・・・・・接続部
Ｇ１３・・・・・・・中間部
Ｇ１４・・・・・・・第１露出部
Ｇ２・・・・・・・・・端子（第７端子）
Ｇ２１・・・・・・・接点部
Ｇ２２・・・・・・・接続部
Ｇ２３・・・・・・・中間部
Ｇ２４・・・・・・・第１露出部
Ｇ２５・・・・・・・第２露出部
Ｇ２６・・・・・・・第１非露出部
Ｇ２７・・・・・・・第２非露出部
Ｇ３ａ、Ｇ３ｂ・端子（第６端子、第３端子）
Ｇ３ａ１、Ｇ３ｂ１・接点部
Ｇ３ａ２、Ｇ３ｂ２・接続部
Ｇ３ａ３、Ｇ３ｂ３・中間部
Ｇ３ａ４、Ｇ３ｂ４・第１露出部
Ｇ４・・・・・・・・・端子（第２端子）
Ｇ４１・・・・・・・接点部
Ｇ４２・・・・・・・接続部
Ｇ４３・・・・・・・中間部
Ｇ４４・・・・・・・第１露出部
Ｇ４５・・・・・・・第２露出部
Ｇ４６・・・・・・・第１非露出部
Ｇ４７・・・・・・・第２非露出部
Ｇ５・・・・・・・・・端子（第４端子）
Ｇ５１・・・・・・・接点部
Ｇ５２・・・・・・・接続部
Ｇ５３・・・・・・・中間部
Ｇ５４・・・・・・・第１露出部
Ｇ５５・・・・・・・第１非露出部
１０ａ、１０ｂ・・・・第１、第２金型
１１ａ、１１ｂ・・・凹部
Ｅ・・・・・・・・・キャビティ
１２ａ、１２ｂ・・・第１突部
１３ａ、１３ｂ・・・第２突部
１４ａ、１４ｂ・・・第３突部
【図１Ａ】
2015210840.tif 000003
【図１Ｂ】
2015210840.tif 000004
【図２Ａ】
2015210840.tif 000005
【図２Ｂ】
2015210840.tif 000006
【図３Ａ】
2015210840.tif 000007
【図３Ｂ】
2015210840.tif 000008
【図４Ａ】
2015210840.tif 000009
【図４Ｂ】
2015210840.tif 000010
【図５Ａ】
2015210840.tif 000011
【図５Ｂ】
2015210840.tif 000012